(57)【特許請求の範囲】
【請求項１】
ワイヤレス通信のための装置によって行われる方法であって、
アップリンク許可のためのソースキャリアを特定することと、
前記アップリンク許可のための前記ソースキャリアに基づいて共有スペクトルのチャネルにアクセスするためのリッスンビフォートーク（ＬＢＴ）プロシージャを決定することと、を備え、
ここにおいて、前記ＬＢＴプロシージャを決定することは、
前記アップリンク許可のための前記ソースキャリアに基づいてクリアチャネルアセスメント（ＣＣＡ）期間を決定することを備え、
ここにおいて、前記ＣＣＡ期間は、前記ソースキャリアが前記共有スペクトルにある場合には第１の持続時間を備え、前記ＣＣＡ期間は、前記ソースキャリアが認可スペクトルにある場合には第２の持続時間を備え、ここにおいて、前記第２の持続時間は、前記第１の持続時間より長い、方法。
【請求項２】
前記ＬＢＴプロシージャを決定することは、
前記アップリンク許可のための前記ソースキャリアに基づいてＣＣＡプロシージャを決定することを備え、
ここにおいて、前記決定されたＣＣＡプロシージャは、バックオフプロシージャのないＣＣＡプロシージャを備える、または、ここにおいて、前記決定されたＣＣＡプロシージャは、リニアランダムまたは指数バックオフプロシージャを備える、請求項１に記載の方法。
【請求項３】
前記決定されたＣＣＡプロシージャは、
前記指数バックオフプロシージャのためのＬＢＴ優先クラスを決定することをさらに備える、請求項２に記載の方法。
【請求項４】
前記ソースキャリアが前記共有スペクトルにある場合には前記バックオフプロシージャのための第１の範囲パラメータを選択することと、
前記ソースキャリアが前記認可スペクトルにある場合には前記バックオフプロシージャのための第２の範囲パラメータを選択することと、をさらに備え、ここにおいて、前記第２の範囲パラメータは、前記第１の範囲パラメータより大きく、ここにおいて、前記第１の範囲パラメータおよび前記第２の範囲パラメータは、前記アップリンク許可がそこから受信される基地局に関連付けされた範囲パラメータとは異なる、請求項２に記載の方法。
【請求項５】
前記アップリンク許可のための前記ソースキャリアを特定することは、
前記共有スペクトルにおいてキャリアを特定することを備える、請求項１に記載の方法。
【請求項６】
前記アップリンク許可のための前記ソースキャリアを特定することは、
前記認可スペクトルにおいてキャリアを特定することを備え、ここにおいて、前記アップリンク許可は、前記特定されたキャリアによってクロスキャリア制御される、請求項１に記載の方法。
【請求項７】
クロスキャリアスケジューリング構成を示すシグナリングを受信することをさらに備え、ここにおいて、前記認可スペクトルにおける前記キャリアは、前記受信されたシグナリングに基づいて特定される、請求項６に記載の方法。
【請求項８】
ワイヤレス通信のための装置であって、
アップリンク許可のためのソースキャリアを特定するための手段と、
前記アップリンク許可のための前記ソースキャリアに基づいて共有スペクトルのチャネルにアクセスするためのリッスンビフォートーク（ＬＢＴ）プロシージャを決定するための手段と、
前記アップリンク許可のための前記ソースキャリアに基づいてクリアチャネルアセスメント（ＣＣＡ）期間を決定するための手段と、を備え、
ここにおいて、前記ＣＣＡ期間は、前記ソースキャリアが共有スペクトルにある場合には第１の持続時間を備え、前記ＣＣＡ期間は、前記ソースキャリアが認可スペクトルにある場合には第２の持続時間を備え、ここにおいて、前記第２の持続時間は、前記第１の持続時間より長い、装置。
【請求項９】
前記ＬＢＴプロシージャを決定するための前記手段は、
前記アップリンク許可のための前記ソースキャリアに基づいてＣＣＡプロシージャを決定するための手段を備え、
ここにおいて、前記ＣＣＡプロシージャを決定するための前記手段は、バックオフプロシージャのないＣＣＡプロシージャを決定するために動作可能である、または、ここにおいて、前記ＣＣＡプロシージャを決定するための前記手段は、リニアランダムまたは指数バックオフプロシージャを決定するために動作可能である、請求項８に記載の装置。
【請求項１０】
前記ＬＢＴプロシージャを決定するための前記手段は、
前記指数バックオフプロシージャのためのＬＢＴ優先クラスを決定するための手段をさらに備える、請求項９に記載の装置。
【請求項１１】
前記ソースキャリアが前記共有スペクトルにある場合には前記バックオフプロシージャのための第１の範囲パラメータを選択するための手段と、
前記ソースキャリアが前記認可スペクトルにある場合には前記バックオフプロシージャのための第２の範囲パラメータを選択するための手段と、をさらに備え、ここにおいて、前記第２の範囲パラメータは、前記第１の範囲パラメータより大きく、ここにおいて、前記第１の範囲パラメータおよび前記第２の範囲パラメータは、前記アップリンク許可がそこから受信される基地局に関連付けされた範囲パラメータとは異なる、請求項９に記載の装置。
【請求項１２】
前記アップリンク許可のための前記ソースキャリアを特定するための前記手段は、
前記共有スペクトルにおいてキャリアを特定するための手段を備える、請求項８に記載の装置。
【請求項１３】
前記アップリンク許可のための前記ソースキャリアを特定するための手段は、
前記認可スペクトルにおいてキャリアを特定するための手段を備え、ここにおいて、前記アップリンク許可は、前記特定されたキャリアによってクロスキャリア制御される、請求項８に記載の装置。
【請求項１４】
クロスキャリアスケジューリング構成を示すシグナリングを受信するための手段をさらに備え、ここにおいて、前記ソースキャリアを特定するための前記手段は、前記受信されたシグナリングに基づいて前記認可スペクトルを特定するために動作可能である、請求項１３に記載の装置。
【請求項１５】
請求項１〜請求項７のうちのいずれか一項の方法を行うためにプロセッサによって実行可能な命令を備える、コンピュータプログラム。
【発明の詳細な説明】
【関連出願の相互参照】
【０００１】
[0001]  本願は、２０１６年３月２２日に出願された「Uplink Listen Before Talk Operation」と題する、Luo他による米国特許出願第１５／０７７，５８７号、および２０１５年４月２０日に出願された「Uplink Listen Before Talk Operation」と題する、Luo他による米国仮特許出願第６２／１５０，１８９号の優先権を主張し、これらの各々は、本譲受人に譲渡されている。
【技術分野】
【０００２】
[0002]  以下は概して、ワイヤレス通信に関し、より具体的には、アップリンクリッスンビフォートーク（ＬＢＴ：listen-before-talk）動作に関する。
【背景技術】
【０００３】
[0003]  ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム）を含む。ワイヤレス多元接続通信システムは、複数の基地局を含み得、各々が、複数の通信デバイスのための通信を同時にサポートし、それらは別名ユーザ機器（ＵＥ）として知られ得る。
【０００４】
[0004]  いくつかの場合では、共有または無認可スペクトルにおいて動作するユーザ機器（ＵＥ）は、リッスンビフォートーク（ＬＢＴ）プロシージャを行い得、それは、チャネルが通信に利用可能であるかどうかを決定するためにクリアチャネルアセスメント（ＣＣＡ）またはエンハンスドクリアチャネルアセスメント（ｅＣＣＡ）として含み得る。ＵＥおよび基地局の両方がＬＢＴを使用する場合、アップリンク送信の機会が限定され得る。例えば、基地局は、無認可キャリアにおいてＵＥにアップリンク許可を送るためにＣＣＡを行い得、そしてＵＥは、アップリンク許可に関連付けされた対応するアップリンクメッセージを送信するために別のＣＣＡを行い得る。行われる各ＣＣＡは、遅延または途絶(disruption)の可能性をもたらし得る。
【発明の概要】
【０００５】
[0005]  ワイヤレスデバイスは、アップリンク許可のためのソースキャリアが認可スペクトルにあるか無認可スペクトルにあるかを決定し、共有スペクトルチャネルにアクセスするためのリッスンビフォートーク（ＬＢＴ）プロシージャを選択し得る。例えば、デバイスは、ソースキャリアが無認可スペクトルにある場合にはクリアチャネルアセスメント（ＣＣＡ）のバックオフプロシージャのための１つの範囲パラメータ（例えばｑ値）を、ソースキャリアが認可スペクトルにある場合には異なる（すなわち、より大きい）範囲パラメータを、選択し得る。いくつかの場合では、デバイスは、スタンドアロン動作モードで動作し得、ソースキャリアは、そのモードに少なくとも一部基づいて特定され得る。いくつかの場合では、デバイスは、シグナリングを受信し得、それは、無認可スペクトルにおいて構成されるキャリアがセルフスケジューリングされるか、クロスキャリアスケジューリングされるかを指示し得、それに応じてデバイスは、ＬＢＴプロシージャを選択し得る。
【０００６】
[0006]  ワイヤレス通信の方法が説明される。方法は、アップリンク許可のためのソースキャリアを特定することと、アップリンク許可のためのソースキャリアに少なくとも一部基づいて共有スペクトルのチャネルにアクセスするためのＬＢＴプロシージャを決定することと、を含み得る。
【０００７】
[0007]  ワイヤレス通信のための装置が、さらに、または代替として、説明される。装置は、アップリンク許可のためのソースキャリアを特定するための手段と、アップリンク許可のためのソースキャリアに少なくとも一部基づいて共有スペクトルのチャネルにアクセスするためのＬＢＴプロシージャを決定するための手段と、を含み得る。
【０００８】
[0008]  ワイヤレス通信のためのさらなる装置が、さらに、または代替として、説明される。装置は、プロセッサ、およびプロセッサに接続されたメモリを含み得る。プロセッサは、アップリンク許可のためのソースキャリアを特定することと、アップリンク許可のためのソースキャリアに少なくとも一部基づいて共有スペクトルのチャネルにアクセスするためのＬＢＴプロシージャを決定することと、をするように構成され得る。
【０００９】
[0009]  プロセッサによって実行可能である命令を記憶するための非一時的なコンピュータ可読媒体が、さらに、または代替として、説明される。コンピュータ可読媒体は、アップリンク許可のためのソースキャリアを特定することと、アップリンク許可のためのソースキャリアに少なくとも一部基づいて共有スペクトルのチャネルにアクセスするためのＬＢＴプロシージャを決定することと、を行うための命令を含み得る。
【００１０】
[0010]  本書に説明される方法、装置、または非一時的なコンピュータ可読媒体のいくつかの例は、さらに、または代替として、ＬＢＴプロシージャが、アップリンク許可のためのソースキャリアに少なくとも一部基づいてＣＣＡ期間を決定することを含むことを決定するための、プロセス、特徴、手段、または命令を含み得る。さらに、または代替として、いくつかの例では、ＣＣＡ期間は、ソースキャリアが共有スペクトルにある場合に第１の持続時間を含み、ＣＣＡ期間は、ソースキャリアが認可スペクトルにある場合に第２の持続時間を、第２の持続時間が第１の持続時間より多くなるように、含む。
【００１１】
[0011]  本書に説明される方法、装置、または非一時的なコンピュータ可読媒体のいくつかの例では、ＬＢＴプロシージャを決定することは、アップリンク許可のためのソースキャリアに少なくとも一部基づいてＣＣＡプロシージャを決定することを含む。さらに、または代替として、いくつかの例では、決定されたＣＣＡプロシージャは、バックオフプロシージャのないＣＣＡプロシージャを含む。
【００１２】
[0012]  本書に説明される方法、装置、または非一時的コンピュータ可読媒体のいくつかの例では、決定されるＣＣＡプロシージャは、リニアランダム（linear random）または指数バックオフ（exponential backoff）プロシージャを含む。さらに、または代替として、いくつかの例は、指数バックオフプロシージャのためにＬＢＴ優先クラスを決定するためのプロセス、特徴、手段または命令を含み得る。さらに、または代替として、いくつかの例は、ソースキャリアが共有スペクトルにある場合にバックオフプロシージャのための第１の範囲パラメータを選択することと、ソースキャリアが認可スペクトルにある場合にバックオフプロシージャのための第２の範囲パラメータを選択することと、を行うためのプロセス、特徴、手段、または命令を含み得、第２の範囲パラメータは、第１の範囲パラメータより大きく、第１の範囲パラメータおよび第２の範囲パラメータは、アップリンク許可がそこから受信される基地局に関連付けされた範囲パラメータとは異なる。
【００１３】
[0013]  本書に説明される方法、装置、または非一時的なコンピュータ可読媒体のいくつかの例では、アップリンク許可のためのソースキャリアを特定することは、共有スペクトルにおいてキャリアを特定することを含む。さらに、または代替として、いくつかの例は、ＵＥがスタンドアロン動作モードであることを決定するためのプロセス、特徴、手段、または命令を含み得、ソースキャリアは、ＵＥがスタンドアロン動作モードであることの決定に少なくとも一部基づいて特定される。
【００１４】
[0014]  本書に説明される方法、装置、または非一時的なコンピュータ可読媒体のいくつかの例では、アップリンク許可のためのソースキャリアを特定することは、アップリンク許可が特定されたキャリアによってクロスキャリア制御される（cross-carrier controlled）ように、認可スペクトルにおいてキャリアを特定することを含む。さらに、または代替として、いくつかの例は、クロスキャリアスケジューリング構成を示すシグナリングを受信するためのプロセス、特徴、手段または命令を含み得、認可スペクトルにおけるキャリアは、受信されたシグナリングに少なくとも一部基づいて特定される。
【００１５】
[0015]  本書に説明される方法、装置、または非一時的なコンピュータ可読媒体のいくつかの例では、アップリンク許可によって指示されるリソースを使用して送信されるプリアンブルは、アップリンク許可のためのソースキャリアに少なくとも一部基づく。さらに、または代替として、いくつかの例では、ソースキャリアは、共有スペクトルにおいてキャリアを含み、プリアンブルは、ワイヤレスローカルエリアネットワーク（ＷＬＡＮ）プリアンブルを含む。
【００１６】
[0016]  本開示の態様は、下記の図面を参照して説明される。
【図面の簡単な説明】
【００１７】
【図１】本開示の様々な態様に従ってアップリンクリッスンビフォートーク動作をサポートするワイヤレス通信システムの例を例示する。
【図２】本開示の様々な態様に従ってアップリンクリッスンビフォートーク動作をサポートするワイヤレス通信システムの例を例示する。
【図３Ａ】本開示の様々な態様に従ってアップリンクリッスンビフォートーク動作をサポートするシステムにおけるプロセスフローの例を例示する。
【図３Ｂ】本開示の様々な態様に従ってアップリンクリッスンビフォートーク動作をサポートするシステムにおけるプロセスフローの例を例示する。
【図４】本開示の様々な態様に従ってアップリンクリッスンビフォートーク動作をサポートする１つまたは複数のワイヤレスデバイスを例示する。
【図５】本開示の様々な態様に従ってアップリンクリッスンビフォートーク動作をサポートする１つまたは複数のワイヤレスデバイスを例示する。
【図６】本開示の様々な態様に従ってアップリンクリッスンビフォートーク動作をサポートする１つまたは複数のワイヤレスデバイスを例示する。
【図７】本開示の様々な態様に従ってアップリンクリッスンビフォートーク動作をサポートする、ＵＥを含む、システムのブロック図を例示する。
【図８】本開示の様々な態様に従ってアップリンクリッスンビフォートーク動作をサポートする、基地局を含む、システムのブロック図を例示する。
【図９】本開示の様々な態様に従った、アップリンクリッスンビフォートーク動作のための方法を例示する。
【図１０】本開示の様々な態様に従った、アップリンクリッスンビフォートーク動作のための方法を例示する。
【図１１】本開示の様々な態様に従った、アップリンクリッスンビフォートーク動作のための方法を例示する。
【図１２】本開示の様々な態様に従った、アップリンクリッスンビフォートーク動作のための方法を例示する。
【図１３】本開示の様々な態様に従った、アップリンクリッスンビフォートーク動作のための方法を例示する。
【図１４】本開示の様々な態様に従った、アップリンクリッスンビフォートーク動作のための方法を例示する。
【発明を実施するための形態】
【００１８】
[0024]  いくつかの場合では、共有スペクトルまたは無認可スペクトルにおいて動作するユーザ機器（ＵＥ）は、チャネルが通信に利用可能であるかどうかを決定するために、リッスンビフォートーク（ＬＢＴ）プロシージャ、例えば、ＣＣＡまたはｅＣＣＡを行い得る。ＵＥは、プロシージャを行うＵＥに基づいて、または環境に基づいて、異なるパラメータまたは異なるプロシージャを使用して、ＣＣＡ／ｅＣＣＡ動作を行い得る。例えば、いくつかの場合では、ＣＣＡ／ｅＣＣＡ動作は、送信の前には行われない。いくつかの場合では、ＣＣＡ／ｅＣＣＡは、バックオフをともなって、またはバックオフなしで、行われ得る。プロシージャがバックオフを含む場合、それは、リニアランダムバックオフ（例えば、欧州電気通信標準化機構（ＥＴＳＩ）ブロードバンド無線アクセスネットワーク（ＢＲＡＮ）基準によって規定されるオプションＢ）を含み得る。別の例として、ＣＣＡ／ｅＣＣＡプロシージャは、指数バックオフ（例えば、ＥＳＴＩ ＢＲＡＮのオプションＡ、すなわち、ワイヤレスローカルエリアネットワーク（ＷＬＡＮ）における拡張型分配チャネルアクセス（ＥＤＣＡ：enhanced distributed channel access））を含み得る。成功するＣＣＡ／ｅＣＣＡの平均時間は、行われる特定のプロシージャに基づいて変わり得る。
【００１９】
[0025]  ＵＥおよび基地局の両方がＬＢＴを使用する場合、アップリンク送信の機会が限定され得る。例えば、基地局は、無認可キャリアにおいてＵＥにアップリンク許可を送るために、ＣＣＡを行い得る。そしてＵＥは、アップリンク許可に関連付けされた対応するＰＵＳＣＨまたはＰＵＣＣＨメッセージを送信するために、別のＣＣＡを行い得る。行われる各ＣＣＡは、遅延または混乱の可能性を発生させ得る。
【００２０】
[0026]  いくつかの場合では、アップリンク送信の機会は、認可スペクトルからのクロスキャリア割り当てで改善され得る。ＬＢＴプロシージャの態様は、アップリンク許可のソースにリンクされ得る。例えば、アップリンク許可が無認可スペクトルを使用してスケジューリングされる場合、より短いＣＣＡ／ｅＣＣＡ動作が行われ得る。これは、ＣＣＡ動作がアップリンク送信の直前に行われる場合に適用され得る。アップリンク許可は、認可キャリアにおいてクロスキャリアスケジューリングされる場合、より長いＣＣＡ／ｅＣＣＡ動作が行われ得る。ＣＣＡの長さがＣＣＡ持続時間パラメータ（例えば、バックオフ期間）を増やすことによって、異なる範囲パラメータ（例えばｑ値）を使用することによって、初期の延期（defer）動作を修正することによって、または、成功のしきい値を調整することによって、調整され得る。
【００２１】
[0027]  本開示の態様が、ワイヤレス通信システムのコンテキストで、以下に説明される。そして認可および無認可スペクトルを介して受信される許可に関わる特定の例が、説明される。本開示のこれらの態様、および他の態様は、さらに、アップリンクリッスンビフォートーク動作に関する装置の図、システムの図、およびフローチャートによって例示され、それらを参照して説明される。
【００２２】
[0028]  図１は、本開示の様々な態様に従って、ワイヤレス通信システム１００の例を例示する。ワイヤレス通信システム１００は、基地局１０５、ユーザ機器（ＵＥ）１１５、およびコアネットワーク１３０を含む。いくつかの例において、ワイヤレス通信システム１００は、ロングタームエボリューション（ＬＴＥ）／ＬＴＥ−アドバンスド（ＬＴＥ−Ａ）ネットワークであり得る。
【００２３】
[0029]  基地局１０５は、１つまたは複数の基地局アンテナを介してＵＥ１１５とワイヤレスで通信し得る。各基地局１０５は、通信カバレッジをそれぞれの地理的カバレッジエリア１１０に提供し得る。ワイヤレス通信システム１００中に示される通信リンク１２５は、ＵＥ１１５から基地局１０５へのアップリンク（ＵＬ）送信、または基地局１０５からＵＥ１１５へのダウンリンク（ＤＬ）送信を含み得る。通信リンク１２５は、認可、共有、または無認可スペクトルにおいて動作するチャネルを含み得る。
【００２４】
[0030]  おおまかに言うと、無認可スペクトルは、いくつかの管轄では、６００メガヘルツ（ＭＨｚ）から６ギガヘルツ（ＧＨｚ）までの範囲にあり得る。よって、本書に使用される場合、「無認可スペクトル」または「共有スペクトル」という用語は、帯域の周波数に関係なく、産業科学医療用（ＩＳＭ）無線帯域を指し得る。いくつかの例では、無認可スペクトルは、Ｕ−ＮＩＩ無線帯域であり、それはさらに、または代替として、５ＧＨｚまたは５Ｇ帯域と呼ばれ得る。対照的に、「認可スペクトル」または「セルラスペクトル」という用語は、本書では、所管官庁からの管理的認可の下にあるワイヤレスネットワークオペレータによって利用されるワイヤレススペクトルを指すために使用され得る。
【００２５】
[0031]  ＵＥ１１５は、ワイヤレス通信システム１００全体にわたって分散され得、各ＵＥ１１５は、固定式または移動式であり得る。ＵＥ１１５は、さらに、または代替として、移動局、加入者局、遠隔ユニット、ワイヤレスデバイス、アクセス端末、ハンドセット、ユーザエージェント、クライアント、または何らかの他の適切な専門用語で呼ばれ得る。ＵＥ１１５は、さらに、または代替として、セルラ電話、ワイヤレスモデム、携帯用デバイス、パーソナルコンピュータ、タブレット、パーソナル電子デバイス、マシン型通信（ＭＴＣ）デバイスまたは同様のものであり得る。
【００２６】
[0032]  複数の基地局１０５は、コアネットワーク１３０と、および互いに、通信し得る。例えば、基地局１０５は、バックホールリンク１３２（例えば、Ｓ１など）を通してコアネットワーク１３０とインターフェースで接続し得る。基地局１０５は、バックホールリンク１３４（例えば、Ｘ２など）にわたって、（例えば、コアネットワーク１３０を通じて）間接的に、または直接、互いに通信し得る。基地局１０５は、ＵＥ１１５との通信のための無線構成およびスケジューリングを行い得るか、または基地局コントローラ（図示せず）の制御のもとで動作し得る。いくつかの例では、基地局１０５は、マクロセル、スモールセル、ホットスポット、または同様のものであり得る。基地局１０５は、さらに、または代替として、ｅノードＢ（ｅＮＢ）１０５と呼ばれ得る。
【００２７】
[0033]  通信リンク１２５は、複数のキャリアに体系化される１つまたは複数の周波数範囲を含み得る。キャリアは、さらに、または代替として、ＣＣ、レイヤ、チャネルなどと呼ばれ得る。「コンポーネントキャリア」という用語は、キャリアアグリゲーション（ＣＡ）動作においてＵＥによって使用される複数のキャリアの各々を指し得、システム帯域幅の他の一部とは異なり得る。例えば、コンポーネントキャリアは、他のコンポーネントキャリアと組み合わせて、または独立して使用されることが可能な比較的狭い帯域幅のキャリアであり得る。各コンポーネントキャリアは、ロングタームエボリューション（ＬＴＥ）基準のリリース８またはリリース９に基づいて単独のキャリアと同じ能力を提供し得る。複数のコンポーネントキャリアは、より大きな帯域幅、および、例えばより速いデータ速度をいくつかのＵＥ１１５に提供するために同時に使用され得るかアグリゲートされ得る。このため、個々のコンポーネントキャリアは、レガシＵＥ１１５（例えばＬＴＥリリース８またはリリース９を実施するＵＥ１１５）に後方互換（backwards compatible）であり得、一方で、他のＵＥ１１５（例えばポストリリース８／９ＬＴＥバージョンを実施するＵＥ１１５）は、マルチキャリアモードにおいて複数のコンポーネントキャリアで構成され得る。ダウンリンク（ＤＬ）のために使用されるキャリアは、ＤＬ ＣＣと呼ばれ得、アップリンク（ＵＬ）に使用されるキャリアは、ＵＬ ＣＣと呼ばれ得る。ＵＥ１１５は、キャリアアグリゲーションのための複数のＤＬコンポーネントキャリア（ＣＣ）および１つまたは複数のＵＬ ＣＣで構成され得る。各キャリアは、制御情報（例えば、基準信号、制御チャネルなど）、オーバヘッド情報、データなどを送信するために使用され得る。ＵＥ１１５は、複数のキャリアを使用して単一の基地局１０５と通信し得、さらに、または代替として、異なるキャリアで同時に複数の基地局と通信し得る。
【００２８】
[0034]  基地局１０５の各セルは、ＵＬコンポーネントキャリア（ＣＣ）およびＤＬＣＣを含み得る。基地局１０５に関わる各サービングセルの地理的なカバレッジエリア１１０は、異なり得る（例えば異なる周波数バンドにおけるＣＣは異なるパス損失を経験し得る）。いくつかの例では、１つのキャリアは、ＵＥ１１５に対して、プライマリキャリア、またはプライマリコンポーネントキャリア（ＰＣＣ）と称され、それは、プライマリセル（ＰＣｅｌｌ）によってサーブされ得る。プライマリセルは、１つのＵＥごとに（on a per-UE basis）より上位のレイヤ（例えば、無線リソース制御（ＲＣＣ）など）によって半静的に（semi-statically）構成され得る。物理アップリンク制御チャネル（ＰＵＣＣＨ）上で送信されるスケジューリング情報、チャネル品質インジケータ（ＣＱＩ）、および肯定応答（ＡＣＫ）／否定応答（ＮＡＣＫ）のような特定のアップリンク制御情報（ＵＣＩ）は、プライマリセルによって搬送される。さらなるキャリアは、セカンダリキャリアまたはセカンダリコンポーネントキャリア（ＳＣＣ）と称され得、それは、セカンダリセル（ＳＣｅｌｌ）によってサーブされ得る。セカンダリセルは、同様に１つのＵＥごとに半静的に構成され得る。いくつかの場合では、セカンダリセルは、プライマリセルと同じ制御情報を送信するように構成されない、または、それらを含まない可能性がある。他の場合では、１つまたは複数のセカンダリセル（ＳＣｅｌｌ）は、物理アップリンク制御チャネル（ＰＵＣＣＨ）を搬送するように指定され得、ＳＣｅｌｌは、関連付けされたＵＬ制御情報を搬送するためにどのＣＣが使用されるかに基づいてＰＵＣＣＨグループに体系化され得る。いくつかのワイヤレスネットワークは、エンハンスドＣＣの使用、または共有または無認可スペクトルにおける動作、または多数のキャリア（例えば、５個から３２個のキャリア）に基づいてエンハンスドＣＡ動作を使用し得る。
【００２９】
[0035]  いくつかの場合では、ＵＥ１１５は、デュアルコネクティビティ動作において理想的でないバックホールリンク１３４によって接続される２つ以上の基地局１０５からのセルによってサーブされ得る。例えば、サービング基地局１０５間の接続は、正確な時間調整を容易にするために充分ではない可能性がある。このため、いくつかの場合では、ＵＥ１１５にサービスするセルが、複数の時間調整グループ（ＴＡＧ）に分割され得る。各ＴＡＧは、ＵＥ１１５が異なるＵＬキャリアのために異なってＵＬ送信を同期させ得るように、異なるタイミングオフセットに関連付けされ得る。
【００３０】
[0036]  基地局は、物理ダウンリンク制御チャネル（ＰＤＣＣＨ）を介して許可を送ることによってＵＥ１１５をスケジューリングし得る。ＰＤＣＣＨ許可は、それらが送られるキャリアに関連付けされ得るか、別のキャリアに関わり得る（すなわち、クロスキャリアスケジューリング）。ＰＤＣＣＨは、制御チャネルエレメント（ＣＣＥ）においてダウンリンク制御情報（ＤＣＩ）を搬送し、それは、９個の論理的に連続したリソースエレメントグループ（ＲＥＧ）を含み得、ここにおいて各ＲＥＧは４個のリソースエレメント（ＲＥ）を含む。ＤＣＩは、ＤＬスケジューリング割り当てに関わる情報、ＵＬリソース許可、送信スキーム、ＵＬパワー制御、ハイブリッド自動再送要求（ＨＡＲＱ）情報、変調およびコード化スキーム（ＭＣＳ）および他の情報を含む。ＤＣＩメッセージのサイズおよびフォーマットは、ＤＣＩによって搬送される情報の量およびタイプによって異なることができる。例えば、空間多重化がサポートされる場合、ＤＣＩメッセージのサイズは、連続した周波数割り当てと比較して大きい。同様に、多入力多出力（ＭＩＭＯ）を利用するシステムに関して、ＤＣＩは、さらなるシグナリング情報を含み得る。ＤＣＩのサイズおよびフォーマットは、帯域幅、アンテナポートの数、および二重モード（duplexing mode）のようなファクタ、および情報の量に依存する。
【００３１】
[0037]  いくつかの場合では、ＵＥ１１５または基地局１０５は、共有または無認可周波数スペクトルにおいて動作し得る。これらのデバイスは、チャネルが利用可能であるかどうかを決定するためにクリアチャネルアセスメント（ＣＣＡ）を通信に先立って行い得る。ＣＣＡは、何らかの他のアクティブな送信があるかどうかを決定するためにエネルギー検出プロシージャを含み得る。例えば、デバイスは、パワーメータの受信された信号強度の変化が、チャネルが使用されていることを指示すると察し得る。具体的に、特定の帯域幅において集中しており、所定のノイズフロアを超えている信号電力が、別のワイヤレス送信機を指示し得る。ＣＣＡは、さらに、または代替として、チャネルの使用を指示する特定のシーケンスの検出を含み得る。例えば、別のデバイスは、データシーケンスを送信する前に特定のプリアンブルを送信し得る。
【００３２】
[0038]  ワイヤレス通信システム１００は、１つまたは複数のエンハンスドコンポーネントキャリア（ｅＣＣ）を使用し得、それは、無認可または共有スペクトル帯域幅において動作し得る。エンハンスドコンポーネントキャリア（ｅＣＣ）は、例えば、フレキシブルな帯域幅、異なる送信時間インターバル（ＴＴＩ）および修正されたコントロールチャネル構成を含む１つまたは複数の特徴によって、特徴付けられ得る。いくつかの場合では、ｅＣＣは、（例えば複数のサービングセルが、準最適なバックホールリンクを有する場合）ＣＡ構成または二重接続構成（dual connectivity configuration）に関連付けされ得る。フレキシブルな帯域幅によって特徴付けられているｅＣＣは、全帯域幅をモニタできない、または（電力を節約するために）制限された帯域幅を使用することを好むＵＥ１１５によって使用され得る１つまたは複数のセグメントを含み得る。
【００３３】
[0039]  いくつかの場合では、ｅＣＣは、他のＣＣとは異なるＴＴＩ長を使用し得、それは、他のＣＣのＴＴＩと比較して、減じられた、または可変のシンボル持続時間の使用を含み得る。シンボル持続時間は、いくつかの場合、同じであり続けるが、各シンボルは、異なるＴＴＩを示し得る。いくつかの例では、ｅＣＣは、異なるＴＴＩ長に関連付けされた複数の階層レイヤを含み得る。例えば、１つの階層レイヤにおけるＴＴＩは、統一された１ｍｓサブフレームに対応し得、一方で第２のレイヤにおいて可変の長さのＴＴＩは、短い持続時間のシンボル期間のバーストに対応し得る。いくつかの場合では、より短いシンボル持続時間は、さらに、または代替として、増大されたサブキャリアの間隔に関連付けされ得る。減じられたＴＴＩ長と関連して、ｅＣＣは、動的な時分割複信（ＴＤＤ）動作を使用し得る（すなわち、それは、動的条件に従って、短いバーストのために、ＤＬからＵＬの動作に切替え得る。）
[0040]  フレキシブルな帯域幅および可変のＴＴＩは、変調された制御チャネル構成に関連付けされ得る（例えば、ｅＣＣは、ＤＬ制御情報に関わるエンハンスド物理ダウンリンク制御チャネル（ｅＰＤＣＣＨ）を使用し得る）。例えば、ｅＣＣの１つまたは複数の制御チャネルは、フレキシブルな帯域幅の使用に対応するために、周波数分割多重（ＦＤＭ）スケジューリングを使用し得る。他の制御チャネル修正は、（例えば先進型マルチメディアブロードキャストマルチキャストサービス（ｅＭＢＭＳ）スケジューリングのための、または、可変の長さのＵＬおよびＤＬバーストの長さを指示するための、）さらなる制御チャネルの使用を含み、あるいは、異なるインターバルで送信される制御チャネルを含む。ｅＣＣは、さらに、または代替として、修正されたまたはさらなるＨＡＲＱ関連の制御情報を含み得る。
【００３４】
[0041]  本書に説明されるように、ＵＥ１１５または基地局１０５は、アップリンク許可のためのソースキャリアが認可スペクトルにあるか無認可スペクトルにあるかを決定し、共有スペクトルチャネルにアクセスするためのＬＢＴプロシージャを選択し得る。いくつかの場合では、ＵＥの範囲パラメータおよび基地局の範囲パラメータは、ソースキャリアが認可スペクトルにあるか無認可スペクトルにあるかに少なくとも一部基づいて、異なり（例えば、より小さく、より大きくなり）得る。例えば、ＵＥ１１５または基地局１０５は、ソースキャリアが無認可スペクトルにある場合にはＣＣＡのバックオフプロシージャのための１つの範囲パラメータ（例えばｑ値）を、ソースキャリアが認可スペクトルにある場合には異なる（例えばより大きい）範囲パラメータを、選択し得る。いくつかの場合では、（例えば、バックオフプロシージャに関わるＵＥの）第１の範囲パラメータおよび第２の範囲パラメータは、アップリンク許可がそこから受信される基地局に関連付けされた範囲パラメータとは異なる。いくつかの場合では、ＵＥ１１５または基地局１０５は、スタンドアロン動作モードで動作し得、ソースキャリアは、そのモードに基づいて特定され得る。いくつかの場合では、ＵＥ１１５または基地局１０５は、クロスキャリアスケジューリング構成を介してシグナリングを受信し得、スケジューリングキャリアに基づいてＬＢＴプロシージャを選択し得る。
【００３５】
[0042]  図２は、本開示の様々な態様に従ったアップリンクリッスンビフォートーク動作のためのワイヤレス通信システム２００の例を例示する。ワイヤレス通信システム２００は、ＵＥ２１５および基地局２０５を含み得、それらは、図１を参照して説明されたＵＥ１１５基地局１０５の例であり得る。ＵＥ２１５および基地局２０５は、認可スペクトルキャリア２２０、共有スペクトルキャリア２２５（例えば、共有または無認可スペクトルにおいて動作するキャリア）、またはそれら両方を使用して通信し得る。基地局２０５は、クロスキャリア許可２３０または同じキャリア（例えば、セルフスケジューリングされた）許可２３５を使用してＵＥ２１５のための共有スペクトル通信をスケジューリングし得る。
【００３６】
[0043]  すなわち、ＵＥ２１５は、共有スペクトルまたは無認可スペクトルにおいて動作し得、チャネルが通信のために利用可能であるかどうかをそれを使用することの前に決定するためにＬＢＴプロシージャ、例えばＣＣＡまたはエンハンスドクリアチャネルアセスメント（ｅＣＣＡ）を行い得る。ＵＥ２１５は、デバイスの特徴に基づいて、または環境に基づいて、異なるパラメータまたは異なるプロシージャを使用して、ＣＣＡ／ｅＣＣＡ動作を行い得る。いくつかの場合では、ＣＣＡ／ｅＣＣＡ動作は、送信の前には行われない。ＣＣＡ／ｅＣＣＡは、バックオフをともなって、またはバックオフなしで、行われ得る。例えば、ＣＣＡ／ｅＣＣＡプロシージャは、リニアランダムバックオフを含み得る。別の例として、ＣＣＡ／ｅＣＣＡプロシージャは、指数バックオフであり得る。成功するＣＣＡ／ｅＣＣＡの平均時間は、行われる特定のプロシージャに基づいて変わり得る。
【００３７】
[0044]  ＵＥ２１５および基地局２０５の両方がＬＢＴを使用する場合、アップリンク送信の機会が限定され得る。例えば、基地局２０５は、例えば、同じキャリア許可２３５を使用して、無認可キャリアにおいてＵＥ２１５にアップリンク許可を送るためにＣＣＡを行い得る。そしてＵＥ２１５は、アップリンク許可に関連付けされた対応するＰＵＳＣＨまたはＰＵＣＣＨメッセージを送信するために、別のＣＣＡを行い得る。行われる各ＣＣＡは、遅延または混乱の可能性を発生させ得る。
【００３８】
[0045]  いくつかの場合では、アップリンク送信の機会は、認可スペクトルからのクロスキャリア割り当てで改善され得る。ＬＢＴプロシージャの態様は、アップリンク許可のソースにリンクされ得る。例えば、アップリンク許可が同じキャリア許可２３５を使用してスケジューリングされる場合、より短いＣＣＡ／ｅＣＣＡ動作が行われ得る。これは、ＣＣＡ動作がアップリンク送信の直前に行われる場合に適用され得る。基地局２０５がクロスキャリア許可２３０を使用してＵＥ２１５をスケジューリングする場合、より長いＣＣＡ／ｅＣＣＡ動作が行われ得る。ＣＣＡの長さがＣＣＡ持続時間パラメータ（例えば、バックオフ期間）を増やすことによって、異なる範囲パラメータ（例えばｑ値）を使用することによって、初期の延期動作を修正することによって、または、成功のしきい値を調整することによって、調整され得る。このため、無認可スペクトルにおいて複数回ＣＣＡを行うことに起因する遅延または混乱が、軽減され得る。
【００３９】
[0046]  図３Ａは、本開示の様々な態様に従った、クロスキャリアスケジューリングを使用したアップリンクリッスンビフォートーク動作のためのプロセスフロー３０１の例を例示する。プロセスフロー３０１は、ＵＥ３１５および基地局３０５を含み得、それらは、図１および２を参照して説明されたＵＥおよび基地局の例であり得る。
【００４０】
[0047]  ３２０において、ＵＥ３１５および基地局３０５は、認可スペクトルを使用して接続を確立し得る。３２５において、ＵＥ３１５および基地局３０５は、共有または無認可スペクトルを使用して接続を確立し得る。いくつかの場合では、両方の接続が、無線リソース制御（ＲＲＣ）シグナリングを介して同時に(simultaneously)確立され得る。
【００４１】
[0048]  ３３０において、基地局３０５は、クロスキャリアスケジューリングを使用して無認可スペクトルにおけるキャリアに関わるＵＥ３１５にＵＬ許可を送り得る（すなわち、許可は、認可スペクトルにおけるキャリアを介して送られる）。
【００４２】
[0049]  ３３５において、ＵＥ３１５は、（例えば、認可スペクトルを介して許可を受信するように見込まれる、またはそれが受信した）許可のソースを特定し得る。ＵＥ３１５は、クロスキャリアスケジューリング構成を示すシグナリングを受信し得、認可スペクトルにおけるキャリアは、受信されたシグナリングに基づいて特定され得る。いくつかの例では、アップリンク許可によって指示されるリソースを使用して送信されるプリアンブルは、アップリンク許可のためのソースキャリアに基づく。図３Ａは、ＵＥ３１５が許可を受信した後に許可のソースを特定し得ることを指示するが、いくつかの場合では、ＵＥ３１５は、キャリアの構成に基づいて許可のソースを特定し得る。例えば、無認可スペクトルにおけるＳＣＣがクロスキャリアスケジューリングされている（例えば、クロスキャリア制御されている）ように構成される場合、ＵＥ３１５は、キャリアのためのＵＬ許可のソースとしてＰＣＣを特定し得る。
【００４３】
[0050]  ３４０において、ＵＥ３１５は、許可のソースに基づいてＬＢＴプロシージャ（例えば、ＣＣＡの長さ）を決定し得る。すなわち、ＵＥ３１５は、アップリンク許可のためのソースキャリアに基づいて共有スペクトルのチャネルにアクセスするためのＬＢＴプロシージャを決定し得る。例えば、ＵＥ３１５は、アップリンク許可のためのソースキャリアに基づいて長いＣＣＡ期間を選択し得る。
【００４４】
[0051]  いくつかの例では、ＣＣＡ期間は、ソースキャリアが共有スペクトルにある場合には第１の持続時間を含み、ＣＣＡ期間は、ソースキャリアが認可スペクトルにある場合には第２の持続時間を、第２の持続時間が第１の持続時間より多くなるように、含む。このため、いくつかの例では、ＬＢＴプロシージャを決定することは、アップリンク許可のためのソースキャリアに基づいてＣＣＡプロシージャを決定することを含む。いくつかの場合では、決定されたＣＣＡプロシージャは、リニアランダムまたは指数バックオフプロシージャを含む。ＵＥ３１５は、共有スペクトルにあるソースキャリアに基づいて、バックオフプロシージャのための第２の範囲パラメータを選択し得る。同じキャリアスケジューリングに関わる第１の範囲パラメータは、クロスキャリアスケジューリングのための第２の範囲パラメータより小さい可能性がある。いくつかの場合では、ＣＣＡプロシージャを決定することは、指数バックオフプロシージャのためのＬＢＴ優先クラスを決定することを含む。
【００４５】
[0052]  ３４５において、ＵＥ３１５は、許可を送るために使用される認可スペクトルに基づいて長いプロシージャを使用してＬＢＴプロシージャ（すなわちＣＣＡ）を生じられる得る。３５０において、ＵＬ許可に従って基地局３０５にデータメッセージまたはＵＬ制御を送信し得る。
【００４６】
[0053]  図３Ｂは、本開示の様々な態様に従ったセルフスケジューリングを使用したアップリンクリッスンビフォートーク動作のためのプロセスフロー３０２の例を例示する。プロセスフロー３０２は、ＵＥ３１５および基地局３０５を含み得、それらは、図１および２を参照して説明されたＵＥおよび基地局の例であり得る。
【００４７】
[0054]  ３５５において、いくつかの場合では、ＵＥ３１５および基地局３０５は、認可スペクトルを使用して接続を確立し得る。他の場合では、認可スペクトルにおける接続は確立されず、全ての通信は、共有または無認可スペクトルを使用して生じる。３６０において、ＵＥ３１５および基地局３０５は、共有または無認可スペクトルを使用して接続を確立し得る。
【００４８】
[0055]  ３６５において、基地局３０５は、同じキャリアスケジューリングを使用して無認可スペクトルにおけるキャリアに関わるＵＥ３１５にＵＬ許可を送り得る（例えば、許可は、無認可スペクトルにおけるキャリアを介して送られる）。
【００４９】
[0056]  ３７０において、ＵＥ３１５は、許可（例えば、それが無認可スペクトルを介して受信した許可）のソースを特定し得る。いくつかの例では、アップリンク許可のためのソースキャリアを特定することは、共有スペクトルにおいてキャリアを特定することを含む。いくつかの例では、アップリンク許可によって指示されるリソースを使用して送信されるプリアンブルは、アップリンク許可のためのソースキャリアに基づく。いくつかの例では、ソースキャリアは、共有スペクトルにおけるキャリアを含み、プリアンブルはＷＬＡＮプリアンブルを含む。
【００５０】
[0057]  ３７５において、ＵＥ３１５は、許可のソースに基づいてＬＢＴプロシージャ（すなわち、ＣＣＡの長さ）を決定し得る。すなわち、ＵＥ３１５は、アップリンク許可のためのソースキャリアに基づいて共有スペクトルのチャネルにアクセスするためのＬＢＴプロシージャを決定し得る。例えば、ＵＥ３１５は、アップリンク許可のためのソースキャリアに基づいてＣＣＡ期間を決定し得る。
【００５１】
[0058]  いくつかの例では、ＣＣＡ期間は、ソースキャリアが共有スペクトルにある場合には第１の持続時間を含み、ＣＣＡ期間は、ソースキャリアが認可スペクトルにある場合には第２の持続時間を、第２の持続時間が第１の持続時間より多くなるように、含む。いくつかの例では、決定されたＣＣＡプロシージャは、バックオフプロシージャのないＣＣＡプロシージャを含む。いくつかの例では、決定されたＣＣＡプロシージャは、リニアランダムまたは指数バックオフプロシージャを含む。バックオフ長は、許可のソースキャリアに依存し得る。
【００５２】
[0059]  いくつかの例では、ＵＥ３１５は、ソースキャリアが共有スペクトルにある場合、バックオフプロシージャのための第１の範囲パラメータを選択し得る。いくつかの例では、クロスキャリアスケジューリングのための第２の範囲パラメータは、第１の範囲パラメータより大きい。いくつかの場合では、ＵＥ３１５は、それがスタンドアロン動作モードであることを決定し得る。いくつかの例では、ソースキャリアは、その決定に基づいて特定される。
【００５３】
[0060]  ３８０において、ＵＥ３１５は、許可を送るために使用される認可スペクトルに基づいて長いプロシージャを使用してＬＢＴプロシージャ（すなわちＣＣＡ）を行い得る。３８５において、ＵＬ許可に従って基地局３０５にデータメッセージまたはＵＬ制御を送信し得る。
【００５４】
[0061]  図４は、本開示の様々な態様に従ってアップリンクリッスンビフォートーク動作のために構成されたワイヤレスデバイス４００のブロック図を示す。ワイヤレスデバイス４００は、図１乃至３を参照して説明されたＵＥ１１５の態様の例であり得る。ワイヤレスデバイス４００は、受信機４０５、アップリンクＬＢＴモジュール４１０、または送信機４１５を含み得る。ワイヤレスデバイス４００は、さらに、または代替として、プロセッサを含み得る。これらのコンポーネントの各々は、互いに通信状態にあり得る。
【００５５】
[0062]  受信機４０５は、様々な情報チャネル（例えば、制御チャネル、データチャネルおよびアップリンクリッスンビフォートーク動作に関連した情報など）に関連付けされた、パケット、ユーザデータ、または制御情報のような情報を受信し得る。情報は、アップリンクＬＢＴモジュール４１０に、およびワイヤレスデバイス４００の他のコンポーネントに伝えられ得る。
【００５６】
[0063]  アップリンクＬＢＴモジュール４１０は、アップリンク許可のためのソースキャリアを特定し、アップリンク許可のためのソースキャリアに少なくとも一部基づいて共有スペクトルのチャネルにアクセスするためのＬＢＴプロシージャを決定し得る。
【００５７】
[0064]  送信機４１５は、ワイヤレスデバイス４００の他のコンポーネントから受信された信号を送信し得る。いくつかの例では、送信機４１５は、トランシーバモジュールで受信機４０５と共に配置され得る。送信機４１５は、単一のアンテナを含み得るか、またはそれは、複数のアンテナを含み得る。
【００５８】
[0065]  図５は、本開示の様々な態様に従ってアップリンクリッスンビフォートーク動作のためのワイヤレスデバイス５００のブロック図を示す。ワイヤレスデバイス５００は、図１乃至４を参照して説明されたＵＥ１１５またはワイヤレスデバイス４００の態様の例であり得る。ワイヤレスデバイス５００は、受信機５０５、アップリンクＬＢＴモジュール５１０、または送信機５１５を含み得る。ワイヤレスデバイス500は、さらに、または代替として、プロセッサを含み得る。これらのコンポーネントの各々は、互いに通信状態にあり得る。アップリンクＬＢＴモジュール４１０は、さらに、または代替として、ソースキャリア特定モジュール５１７と、ＬＢＴプロシージャ決定モジュール５１９を含み得る。
【００５９】
[0066]  受信機４０５は、アップリンクＬＢＴモジュール５１０に、およびワイヤレスデバイス５００の他のコンポーネントに伝えられ得る情報を受信し得る。アップリンクＬＢＴモジュール４１０は、図４を参照して説明された動作を行い得る。送信機４１５は、ワイヤレスデバイス５００の他のコンポーネントから受信された信号を送信し得る。
【００６０】
[0067]  ソースキャリア特定モジュール５１７は、図２および３を参照して説明されたように、アップリンク許可のためのソースキャリアを特定し得る。
【００６１】
[0068]  ＬＢＴプロシージャ決定モジュール５１９は、図２および３を参照して説明されたように、アップリンク許可のためのソースキャリアに少なくとも一部基づいて共有スペクトルのチャネルにアクセスするためのＬＢＴプロシージャを決定し得る。
【００６２】
[0069]  図６は、本開示の様々な態様に従ってアップリンクリッスンビフォートーク動作のためのワイヤレスデバイス５００またはワイヤレスデバイス４００のコンポーネントであり得るアップリンクＬＢＴモジュール６００のブロック図を示す。アップリンクＬＢＴモジュール６００は、図４および５を参照して説明されたアップリンクＬＢＴモジュール４１０または５１０の態様の例であり得る。アップリンクＬＢＴモジュール６００は、ソースキャリア特定モジュール６１７と、ＬＢＴプロシージャ決定モジュール６１９を含み得る。これらのモジュールの各々は、図５を参照して説明された機能を行い得る。アップリンクＬＢＴモジュール６００は、さらに、または代替として、ＣＣＡ期間決定モジュール６０５、ＣＣＡプロシージャ決定モジュール６１０、ＣＣＡ範囲選択モジュール６１５、共有スペクトル特定モジュール６２０、スタンドアロンモードモジュール６２５、認可スペクトル特定モジュール６３０、キャリア構成モジュール６３５、およびプリアンブル生成モジュール６４０を含み得る。
【００６３】
[0070]  ＣＣＡ期間決定モジュール６０５は、ＬＢＴプロシージャが、図２、３Ａおよび３Ｂを参照して説明されたように、アップリンク許可のためのソースキャリアに少なくとも一部基づいてＣＣＡ期間を決定することを含むことを決定し得る。いくつかの例では、ＣＣＡ期間は、ソースキャリアが共有スペクトルにあり得る場合に第１の持続時間を含み、ＣＣＡ期間は、ソースキャリアが認可スペクトルにあり得る場合に第２の持続時間を、第２の持続時間が第１の持続時間より多くなり得るように、含む。いくつかの例では、決定されたＣＣＡプロシージャは、バックオフプロシージャのないＣＣＡプロシージャを含む。いくつかの例では、決定されたＣＣＡプロシージャは、リニアランダムまたは指数バックオフプロシージャを含む。
【００６４】
[0071]  ＣＣＡプロシージャ決定モジュール６１０は、ＬＢＴプロシージャを決定することが、図２、３Ａおよび３Ｂを参照して説明されたように、アップリンク許可のためのソースキャリアに少なくとも一部基づいてＣＣＡプロシージャを決定することを含み得るように、構成され得る。
【００６５】
[0072]  ＣＣＡ範囲選択モジュール６１５は、図２および３を参照して説明されたように、ソースキャリアが共有スペクトルにある場合、バックオフプロシージャのための第１の範囲パラメータを選択し得る。ＣＣＡ範囲選択モジュール６１５は、さらに、または代替として、ソースキャリアが認可スペクトルにある場合、バックオフプロシージャのための第２の範囲パラメータを選択し得る。いくつかの例では、第２の範囲パラメータは、第１の範囲パラメータより大きくなり得る。
【００６６】
[0073]  共有スペクトル特定モジュール６２０は、図２、３Ａおよび３Ｂを参照して説明されたように、アップリンク許可のためのソースキャリアを特定することが共有スペクトルにおいてキャリアを特定することを含み得るように、構成され得る。いくつかの例では、ソースキャリアは、ＵＥ１１５がスタンドアロン動作モードであり得ることの決定に少なくとも一部基づいて特定され得る。
【００６７】
[0074]  スタンドアロンモードモジュール６２５は、図２、３Ａおよび３Ｂを参照して説明されたように、ＵＥがスタンドアロン動作モードであることを決定し得る。
【００６８】
[0075]  認可スペクトル特定モジュール６３０は、図２、３Ａおよび３Ｂを参照して説明されたように、アップリンク許可のためのソースキャリアを特定することが認可スペクトルにおいてキャリアを特定することを含み得るように、アップリンク許可が特定されたキャリアによってクロスキャリア制御され得るように、構成され得る。いくつかの例では、認可スペクトルにおけるキャリアは、受信されたシグナリングに少なくとも一部基づいて特定され得る。
【００６９】
[0076]  キャリア構成モジュール６３５は、図２、３Ａおよび３Ｂを参照して説明されたように、クロスキャリアスケジューリング構成を示すシグナリングを受信し得る。
【００７０】
[0077]  プリアンブル生成モジュール６４０は、図２、３Ａおよび３Ｂを参照して説明されたように、アップリンク許可によって指示されるリソースを使用して送信されるプリアンブルが、アップリンク許可のためのソースキャリアに少なくとも一部基づき得るように、構成され得る。いくつかの例では、ソースキャリアは、共有スペクトルにおけるキャリアを含み、プリアンブルはＷＬＡＮプリアンブルを含む。
【００７１】
[0078]  図７は、本開示の様々な態様に従ってアップリンクリッスンビフォートーク動作のために構成されたＵＥ７１５を含むシステム７００の図を示す。システム７００は、ＵＥ１７１５を含み得、それは、図１、２乃至６を参照して説明されたワイヤレスデバイス４００、ワイヤレスデバイス５００、またはＵＥ１１５の例であり得る。ＵＥ７１５は、アップリンクＬＢＴモジュール７１０を含み得、それは、図４乃至６を参照して説明されたアップリンクＬＢＴモジュール４１０、５１０または６００の例であり得る。ＵＥ７１５は、さらに、または代替として、ｅＣＣモジュール７２５を含み得る。ＵＥ７１５は、さらに、または代替として、通信を送信するためのコンポーネントおよび通信を受信するためのコンポーネントを含む、双方向音声およびデータ通信のためのコンポーネントを含み得る。例えば、ＵＥ７１５は、基地局７０５またはＵＥ７１６と双方向に通信し得る。
【００７２】
[0079]  ｅＣＣモジュール７２５は、無認可または共有スペクトルを使用するキャリア上の通信を容易にし得る。例えば、ｅＣＣモジュール７２５は、図１を参照して説明されたようにｅＣＣに関連する動作を提供する。いくつかの場合では、ｅＣＣモジュール７２５は、ＵＥ７１５のためのスタンドアロンモードを容易にする。
【００７３】
[0080]  ＵＥ７１５は、さらに、または代替として、プロセッサ７０６、およびメモリ７１７（ソフトウェア（ＳＷ）７２０を含む）、トランシーバ７３５、および１つまたは複数のアンテナ７４０を含み得、これらの各々は、（例えば、バス７４５を介して）互いに間接的にまたは直接通信し得る。上述されたように、トランシーバ７３５は、（１つまたは複数の）アンテナ７４０、または有線あるいは無線のリンクを介して、１つまたは複数のネットワークと双方向に通信し得る。例えば、トランシーバ７３５は、基地局７０５または別のＵＥ７１６と双方向に通信し得る。トランシーバ７３５は、パケットを変調し、変調されたパケットを送信のために（１つまたは複数の）アンテナ７４０に提供し、そして（１つまたは複数の）アンテナ７４０から受信されたパケットを復調するためのモデムを含み得る。ＵＥ７１５は、単一のアンテナ７４０を含み得るが、ＵＥ７１５は、さらに、または代替として、複数のワイヤレス送信を同時に送信または受信することが可能である複数のアンテナ７４０を有し得る。
【００７４】
[0081]  メモリ７１７は、ランダムアクセスメモリ（ＲＡＭ）および読取専用メモリ（ＲＯＭ）を含み得る。メモリ７１７は、実行されるとき、プロセッサ７０６に、本書に説明された様々な機能（例えば、アップリンクリッスンビフォートーク動作など）を行わせる命令を含む、コンピュータ可読、コンピュータ実行可能ソフトウェア／ファームウェアコード７２０を記憶し得る。代替として、ソフトウェア／ファームウェアコード７２０は、プロセッサ７０６によって直接的に実行可能ではない場合もあるが、（例えば、コンパイルおよび実行されるとき）、コンピュータに、本書に説明されている機能を行わせ得る。プロセッサ７０６は、インテリジェントハードウェアデバイス（例えば、中央処理ユニット（ＣＰＵ）、マイクロコントローラ、特定用途向け集積回路（ＡＳＩＣ）など）を含み得る。
【００７５】
[0082]  図８は、本開示の様々な態様に従ってアップリンクリッスンビフォートーク動作のために構成された基地局８０５を含むシステム８００の図を示す。システム８００は、基地局８０５を含み得、それは、図１乃至７を参照して説明されたワイヤレスデバイス４００、ワイヤレスデバイス５００または基地局１０５の例であり得る。基地局８０５は、アップリンクＬＢＴモジュール８１０を含み得、それは、図４乃至６を参照して説明されたアップリンクＬＢＴモジュール４１０、５１０または６００の例であり得る。基地局８０５は、さらに、または代替として、通信を送信するためのコンポーネントおよび通信を受信するためのコンポーネントを含む、双方向音声およびデータ通信のためのコンポーネントを含み得る。例えば、基地局７０５は、基地局８０７または基地局８０８と双方向に通信し得る。
【００７６】
[0083]  いくつかの場合では、基地局８０５は、１つまたは複数の有線バックホールリンクを有し得る。基地局８０５は、コアネットワーク８３３への有線バックホールリンク（例えば、Ｓ１インターフェースなど）を有し得る。基地局８０５は、さらに、または代替として、基地局間バックホールリンク（例えば、Ｘ２インターフェース）を介して、基地局８０７および基地局８０８のような、他の基地局と通信し得る。基地局の各々は、同じ、または異なるワイヤレス通信技術を使用してＵＥと通信し得る。いくつかの場合では、基地局８０５は、基地局通信モジュール８２５を使用して８０７または８０８のような他の基地局と通信し得る。いくつかの例では、基地局通信モジュール８２５は、複数の基地局のうちのいくつかの間の通信を提供するために、ＬＴＥ／ＬＴＥ−Ａワイヤレス通信ネットワーク技術内のＸ２インターフェースを提供し得る。いくつかの例では、基地局８０５は、コアネットワーク８３３を通じて他の基地局と通信し得る。いくつかの場合において、基地局８０５は、ネットワーク通信モジュール８３０を通してコアネットワーク８３３と通信し得る。
【００７７】
[0084]  基地局８０５は、プロセッサ８０６、（ソフトウェア（ＳＷ）８２０を含む）メモリ８１７、トランシーバ８３５、および（１つまたは複数の）アンテナ８４０を含み得、それらは各々、（例えば、バスシステム８４５上で）互いに、直接または間接的に、通信状態にあり得る。トランシーバ８３５は、ＵＥ８１５および８１６と、（１つまたは複数の）アンテナ８４０を介して、双方向で通信するように構成され得、それらは、マルチモードデバイスであり得る。トランシーバ８３５（または基地局８０５の他のコンポーネント）は、さらに、または代替として、１つまたは複数の他の基地局（図示せず）と、アンテナ８４０を介して、双方向で通信するように構成され得る。トランシーバ８３５は、パケットを変調し、変調されたパケットを送信のためにアンテナ８４０に提供し、アンテナ８４０から受信されたパケットを復調するように構成されたモデムを含み得る。基地局８０５は、各々１つまたは複数の関連付けされたアンテナ８４０を備えた、複数のトランシーバ８３５を含み得る。トランシーバは、図４の組み合わされた受信機４０５および送信機４１５の例であり得る。
【００７８】
[0085]  メモリ８１７は、ＲＡＭおよびＲＯＭを含み得る。メモリ８１７は、さらに、または代替として、実行されるとき、プロセッサ８０６に、本書に説明された様々な機能（例えば、アップリンクリッスンビフォートーク動作、カバレッジ増進(enhancement)技法を選択すること、技術呼処理、データベース管理、メッセージルーティングなど）を行わせるように構成された命令を含む、コンピュータ可読、コンピュータ実行可能ソフトウェアコード８２０を記憶し得る。代替として、ソフトウェアコード８２０は、プロセッサ８０６によって直接的に実行可能ではない場合もあり得るが、コンピュータに、例えば、コンパイルおよび実行されるときに、本書で説明された機能を行わせるように構成され得る。プロセッサ８０６は、インテリジェントハードウェアデバイス、例えば、ＣＰＵ、マイクロコントローラ、ＡＳＩＣなどを含み得る。プロセッサ８０６は、エンコーダ、キュー処理モジュール、ベースバンドプロセッサ、無線ヘッドコントローラ、デジタルシグナルプロセッサ（ＤＳＰ）などのような、様々な特別用途のプロセッサを含み得る。
【００７９】
[0086]  基地局通信モジュール８２５は、他の基地局との通信を管理し得る。いくつかの場合では、通信管理モジュールは、他の基地局と連携してＵＥとの通信を制御するためのコントローラまたはスケジューラを含み得る。例えば、基地局通信モジュール８２５は、ビームフォーミングもしくはジョイント送信のような様々な干渉緩和技法のために、ＵＥへの送信のためのスケジューリングを調整し得る。
【００８０】
[0087]  ワイヤレスデバイス４００、ワイヤレスデバイス５００、およびアップリンクＬＢＴモジュール６００、ＵＥ７１５、および基地局８０５のコンポーネントは、各々、個々に、または集合的に、ハードウェアにおける適用可能な機能のいくつかまたは全てを行うように適応された少なくとも１つのＡＳＩＣで実施され得る。代替として、機能は、少なくとも１つのＩＣ上で、１つまたは複数の他の処理ユニット（またはコア）によって行われ得る。他の例において、他のタイプの集積回路（例えば、構造化／プラットフォームＡＳＩＣ、フィールドプログラマブルゲートアレイ（ＦＰＧＡ）、または別の半カスタムＩＣ）が使用され得、それらは、当該技術分野において既知の任意の方法でプログラムされ得る。各ユニットの機能はさらに、または代替として、１つまたは複数の汎用または特定用途向けのプロセッサによって実行されるようにフォーマット化された、メモリにおいて具現化される命令で、全体的にまたは部分的に実施され得る。
【００８１】
[0088]  図９は、本開示の様々な態様に従ってアップリンクリッスンビフォートーク動作のための方法９００を例示するフローチャートを示す。方法９００の動作は、図１乃至８を参照して説明されたように、ＵＥ１１５または基地局１０５、あるいは、ＵＥ１１５または基地局の様々なコンポーネントによって、行われ得る。例えば、方法９００の動作は、図４乃至６を参照して説明されたように、アップリンクＬＢＴモジュール４１０、５１０、または６００によって行われ得る。いくつかの例では、ＵＥ１１５または基地局１０５は、ＵＥ１１５または基地局の機能的要素を制御して以下に説明される機能を行うためにコードのセットを実行し得る。さらに、または代替として、ＵＥ１１５または基地局１０５は、専用ハードウェアを使用して以下に説明される機能の態様を行い得る。
【００８２】
[0089]  ブロック９０５において、ＵＥ１１５または基地局１０５は、図２、３Ａまたは３Ｂ３を参照して説明されたように、アップリンク許可のためのソースキャリアを特定し得る。いくつかの例では、ブロック９０５の動作は、図５を参照して説明されたように、ソースキャリア特定モジュール５１７によって行われ得る。
【００８３】
[0090]  ブロック９１０において、ＵＥ１１５または基地局１０５は、図２、３Ａまたは３Ｂを参照して説明されたように、アップリンク許可のためのソースキャリア上で共有スペクトル部分のチャネルにアクセスするためのＬＢＴプロシージャを決定し得る。いくつかの例では、ブロック９１０の動作は、図５を参照して説明されたように、ＬＢＴプロシージャ決定モジュール５１９によって行われ得る。
【００８４】
[0091]  図１０は、本開示の様々な態様に従ってアップリンクリッスンビフォートーク動作のための方法１０００を例示するフローチャートを示す。方法１０００の動作は、図１乃至８を参照して説明されたように、ＵＥ１１５またはそれのコンポーネントによって実施され得る。例えば、方法１０００の動作は、図４乃至６を参照して説明されたように、アップリンクＬＢＴモジュール４１０、５１０、または６００によって行われ得る。いくつかの例では、ＵＥ１１５は、ＵＥ１１５の機能的要素を制御して以下に説明される機能を行うためにコードのセットを実行し得る。さらに、または代替として、ＵＥ１１５は、専用ハードウェアを使用して以下に説明される機能の態様を行い得る。方法１０００は、さらに、または代替として、図９の方法９００の態様を組み込み得る。
【００８５】
[0092]  ブロック１００５において、ＵＥ１１５は、図２、３Ａ、または３Ｂを参照して説明されたように、アップリンク許可のためのソースキャリアを特定し得る。いくつかの例では、ブロック１００５の動作は、図５を参照して説明されたように、ソースキャリア特定モジュール５１７によって行われ得る。
【００８６】
[0093]  ブロック１０１０において、ＵＥ１１５は、図２、３Ａまたは３Ｂを参照して説明されたように、アップリンク許可のためのソースキャリアに基づいて共有スペクトルのチャネルにアクセスするためのＬＢＴプロシージャを決定し得る。ＬＢＴプロシージャを決定することは、図２、３Ａまたは３Ｂを参照して説明されたように、アップリンク許可のためのソースキャリアに基づいてＣＣＡ期間を決定することを含み得る。いくつかの例では、ブロック１０１０の動作は、図６を参照して説明されたように、ＣＣＡ期間決定モジュール６０５によって行われ得る。
【００８７】
[0094]  図１１は、本開示の様々な態様に従ってアップリンクリッスンビフォートーク動作のための方法１１００を例示するフローチャートを示す。方法１１００の動作は、図１乃至８を参照して説明されたように、ＵＥ１１５またはそれのコンポーネントによって実施され得る。例えば、方法１１００の動作は、図４乃至６を参照して説明されたように、アップリンクＬＢＴモジュール４１０、５１０、または６００によって行われ得る。いくつかの例では、ＵＥ１１５は、ＵＥ１１５の機能的要素を制御して以下に説明される機能を行うためにコードのセットを実行し得る。さらに、または代替として、ＵＥ１１５は、専用ハードウェアを使用して以下に説明される機能の態様を行い得る。方法１１００は、さらに、または代替として、図９の方法９００または図１０の方法１０００の態様を組み込み得る。
【００８８】
[0095]  ブロック１１０５において、ＵＥ１１５は、図２および３を参照して説明されたように、アップリンク許可のためのソースキャリアを特定し得る。いくつかの例では、ブロック１１０５の動作は、図５を参照して説明されたように、ソースキャリア特定モジュール５１７によって行われ得る。
【００８９】
[0096]  ブロック１１１０において、ＵＥ１１５は、図２、３Ａまたは３Ｂを参照して説明されたように、アップリンク許可のためのソースキャリアに少なくとも一部基づいて共有スペクトルのチャネルにアクセスするためのＬＢＴプロシージャを決定し得る。ＬＢＴプロシージャを決定することは、図２、３Ａまたは３Ｂを参照して説明されたように、アップリンク許可のためのソースキャリアに基づいてＣＣＡプロシージャを決定することを含み得る。いくつかの例では、ブロック１０１０の動作は、図６を参照して説明されたように、ＣＣＡプロシージャ決定モジュール６１０によって行われ得る。
【００９０】
[0097]  図１２は、本開示の様々な態様に従ってアップリンクリッスンビフォートーク動作のための方法１２００を例示するフローチャートを示す。方法１２００の動作は、図１乃至８を参照して説明されたように、ＵＥ１１５またはそれのコンポーネントによって実施され得る。例えば、方法１２００の動作は、図４乃至６を参照して説明されたように、アップリンクＬＢＴモジュール４１０、５１０、または６００によって行われ得る。いくつかの例では、ＵＥ１１５は、ＵＥ１１５の機能的要素を制御して以下に説明される機能を行うためにコードのセットを実行し得る。さらに、または代替として、ＵＥ１１５は、専用ハードウェアを使用して以下に説明される機能の態様を行い得る。方法１２００は、さらに、または代替として、図９の方法９００、図１０の方法１０００、または図１１の方法１１００の態様を組み込み得る。
【００９１】
[0098]  ブロック１２０５において、ＵＥ１１５は、図２および３を参照して説明されたように、アップリンク許可のためのソースキャリアを特定し得る。いくつかの例では、ブロック１２０５の動作は、図５を参照して説明されたように、ソースキャリア特定モジュール５１７によって行われ得る。
【００９２】
[0099]  ブロック１２１０において、ＵＥ１１５は、図２および３を参照して説明されたように、アップリンク許可のためのソースキャリアに少なくとも一部基づいて共有スペクトルのチャネルにアクセスするためのＬＢＴプロシージャを決定し得る。いくつかの例では、ブロック１２１０の動作は、図５を参照して説明されたように、ＬＢＴプロシージャ決定モジュール５１９によって行われ得る。いくつかの場合では、決定されたＣＣＡプロシージャは、リニアランダムまたは指数バックオフプロシージャを含む。
【００９３】
[0100]  ブロック１２１５において、ＵＥ１１５は、図２、３Ａまたは３Ｂを参照して説明されたように、ソースキャリアが共有スペクトルにある場合、バックオフプロシージャのための第１の範囲パラメータを選択し得る。いくつかの例では、ブロック１２１５の動作は、図６を参照して説明されたように、ＣＣＡ範囲選択モジュール６１５によって行われ得る。
【００９４】
[0101]  ブロック１２２０において、ＵＥ１１５は、図２、３Ａまたは３Ｂ−３を参照して説明されたように、ソースキャリアが認可スペクトルにある場合、バックオフプロシージャのための第２の範囲パラメータを選択し得る。いくつかの例では、ブロック１２２０の動作は、図６を参照して説明されたように、ＣＣＡ範囲選択モジュール６１５によって行われ得る。いくつかの例では、第２の範囲パラメータは、第１の範囲パラメータより大きくなり得る。
【００９５】
[0102]  図１３は、本開示の様々な態様に従ってアップリンクリッスンビフォートーク動作のための方法１３００を例示するフローチャートを示す。方法１３００の動作は、図１乃至８を参照して説明されたように、ＵＥ１１５またはそれのコンポーネントによって実施され得る。例えば、方法１３００の動作は、図４乃至６を参照して説明されたように、アップリンクＬＢＴモジュール４１０、５１０、または６００によって行われ得る。いくつかの例では、ＵＥ１１５は、ＵＥ１１５の機能的要素を制御して以下に説明される機能を行うためにコードのセットを実行し得る。さらに、または代替として、ＵＥ１１５は、専用ハードウェアを使用して以下に説明される機能の態様を行い得る。方法１３００は、さらに、または代替として、図９の方法９００、図１０の方法１０００、図１１の方法１１００、または図１２の方法１２００の態様を組み込み得る。
【００９６】
[0103]  ブロック１３０５において、ＵＥ１１５は、図２、３Ａまたは３Ｂを参照して説明されたように、それがスタンドアロン動作モードであることを決定し得る。いくつかの例では、ブロック１３１５の動作は、図６を参照して説明されたように、スタンドアロンモードモジュール６２５によって行われ得る。
【００９７】
[0104]  ブロック１３１０において、図２、３Ａまたは３Ｂを参照して説明されたように、ＵＥ１１５は、スタンドアロン動作モードであるＵＥ１１５に基づいてアップリンク許可のためのソースキャリアを特定し得、特定されたキャリアは、共有スペクトルキャリアであり得る。いくつかの例では、ブロック１３０５の動作は、図５を参照して説明されたように、ソースキャリア特定モジュール５１７によって行われ得る。
【００９８】
[0105]  ブロック１３１５において、ＵＥ１１５は、図２、３Ａまたは３Ｂを参照して説明されたように、アップリンク許可のためのソースキャリアに基づいて共有スペクトルのチャネルにアクセスするためのＬＢＴプロシージャを決定し得る。いくつかの例では、ブロック１３１０の動作は、図５を参照して説明されたように、ＬＢＴプロシージャ決定モジュール５１９によって行われ得る。
【００９９】
[0106]  図１４は、本開示の様々な態様に従ってアップリンクリッスンビフォートーク動作のための方法１４００を例示するフローチャートを示す。方法１４００の動作は、図１乃至８を参照して説明されたように、ＵＥ１１５またはそれのコンポーネントによって実施され得る。例えば、方法１４００の動作は、図４乃至６を参照して説明されたように、アップリンクＬＢＴモジュール４１０、５１０、または６００によって行われ得る。いくつかの例では、ＵＥ１１５は、ＵＥ１１５の機能的要素を制御して以下に説明される機能を行うためにコードのセットを実行し得る。さらに、または代替として、ＵＥ１１５は、専用ハードウェアを使用して以下に説明される機能の態様を行い得る。方法１４００は、さらに、または代替として、図９の方法９００、図１０の方法１０００、図１１の方法１１００、図１２の方法１２００および図１３の方法１３００の態様を組み込み得る。
【０１００】
[0107]  ブロック１４１５において、ＵＥ１１５は、図２、３Ａまたは３Ｂ−３を参照して説明されたように、クロスキャリアスケジューリング構成を示すシグナリングを受信し得る。いくつかの例では、ブロック１４１５の動作は、図６を参照して説明されたように、キャリア構成モジュール６３５によって行われ得る。
【０１０１】
[0108]  ブロック１４１０において、図２、３Ａまたは３Ｂを参照して説明されたように、ＵＥ１１５は、受信された信号に基づいてアップリンク許可のためのソースキャリアを特定し得、特定されたソースキャリアは、認可スペクトルキャリアであり得る。いくつかの例では、ブロック１４０５の動作は、図５を参照して説明されたように、ソースキャリア特定モジュール５１７によって行われ得る。
【０１０２】
[0109]  ブロック１４１５において、ＵＥ１１５は、図２、３Ａまたは３Ｂ−３を参照して説明されたように、アップリンク許可のためのソースキャリアに基づいて共有スペクトルのチャネルにアクセスするためのＬＢＴプロシージャを決定し得る。いくつかの例では、ブロック１４１０の動作は、図５を参照して説明されたように、ＬＢＴプロシージャ決定モジュール５１９によって行われ得る。
【０１０３】
[0110]  このため、方法９００、１０００、１１００、１２００、１３００、および１４００は、アップリンクリッスンビフォートーク動作を提供し得る。方法９００、１０００、１１００、１２００、１３００および１４００は、可能な実施形態を説明しており、動作およびステップは、他の実施形態が可能になるように、再配置またはそうでない場合は修正され得ることが留意されるべきである。いくつかの例では、方法９００、１０００、１１００、１２００、１３００および１４００のうちの２つ以上からの態様が組み合され得る。
【０１０４】
[0111]  本書における説明は、例を提供しており、特許請求の範囲に記載されている範囲、適用可能性、または例を限定してはいない。本開示の範囲から逸脱することなく、論述される要素の機能および配置の変更が為され得る。様々な例は、適宜、様々なプロシージャまたはコンポーネントを省略、代用、あるいは追加し得る。さらに、または代替として、いくつかの例に関して説明される特徴は、他の例において組み合され得る。
【０１０５】
[0112]  本書で説明された技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムに対して使用され得る。「システム」および「ネットワーク」という用語は、交換可能に使用されることが多い。符号分割多元接続（ＣＤＭＡ）システムは、ＣＤＭＡ２０００、ユニバーサル地上無線アクセス（ＵＴＲＡ）などのような無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００ １Ｘ、１Ｘなどと呼ばれる。ＩＳ−８５６（ＴＩＡ−８５６）は、一般に、ＣＤＭＡ２０００ １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形物を含む。時分割多元接続（ＴＤＭＡ）システムは、モバイル通信のためのグローバルシステム（ＧＳＭ（登録商標））のような無線技術を実施し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなど、の無線技術を実施し得る。ＵＴＲＡおよびＥ-ＵＴＲＡは、ユニバーサルモバイル電気通信システム（ＵＭＴＳ）の一部である。３ＧＰＰ（登録商標）ロングタームエボリューション（ＬＴＥ）およびＬＴＥ−アドバンスト（ＬＴＥ−ａ）は、Ｅ−ＵＴＲＡを使用するユニバーサルモバイル電気通信システム（ＵＭＴＳ）の新リリースである。ＵＴＲＡ、Ｅ−ＵＴＲＡ、ユニバーサルモバイル電気通信システム（ＵＭＴＳ）、ＬＴＥ、ＬＴＥ−ａ、およびモバイル通信のためのグローバルシステム（ＧＳＭ）は、「第３世代パートナーシッププロジェクト」（３ＧＰＰ）という名称の団体からの文書中に説明されている。ＣＤＭＡ２０００およびＵＭＢは、「第３世代パートナーシッププロジェクト２」（３ＧＰＰ２）という名称の団体からの文書中に説明されている。本書で説明されている技術は、上述されたシステムおよび無線技術並びに他のシステムおよび無線技術に対して使用され得る。しかしながら、本書での説明は、実例を目的としてＬＴＥシステムを説明しており、ＬＴＥの専門用語が上記の説明の大部分中で使用されているが、本技術は、ＬＴＥアプリケーションを超えて適用可能である。
【０１０６】
[0113]  ＬＴＥ／ＬＴＥネットワークでは、本書で説明されるこのようなネットワークを含めて、発展型ノードＢ（ｅＮＢ）という用語は、例えば、基地局を説明するために使用され得る。本書に説明されている１つまたは複数のワイヤレス通信システムは、異なるタイプの発展型ノードＢ（ｅＮＢ）が様々な地理的領域にカバレッジを提供する異種ＬＴＥ／ＬＴＥネットワークを含み得る。例えば、各ｅＮＢまたは基地局は、マクロセル、スモールセル、または他のタイプのセルに通信カバレッジを提供し得る。「セル（cell）」という用語は、コンテキストに依存して、基地局、基地局に関連付けされたキャリアまたはコンポーネントキャリア、あるいはキャリアまたは基地局のカバレッジエリア（例えば、セクタなど）を説明するために使用され得る３ＧＰＰの用語である。
【０１０７】
[0114]  基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の適した専門用語を含み得るか、当業者によってそれらで呼ばれ得る。基地局のための地理的カバレッジエリアは、カバレッジエリアの一部を構成するセクタに分割され得る。本書に説明される１つまたは複数のワイヤレス通信システムは、異なるタイプの基地局（例えば、マクロまたはスモールセルの基地局）を含み得る。本書に説明されるＵＥは、マクロｅＮＢ、スモールセルｅＮＢ、中継基地局などを含む様々なタイプの基地局およびネットワーク機器と通信することが可能であり得る。異なる技術に関しては重複している地理的カバレッジエリアが存在し得る。
【０１０８】
[0115]  例えば、マクロセルは、比較的大きい地理的エリア（例えば、半径数キロメートル）をカバーし得、ネットワークプロバイダにサービス加入しているＵＥによる無制限のアクセスを可能にし得る。スモールセルは、マクロセルと比較して、低電力の基地局であり、それは、マクロセルと同じまたは異なる（例えば、認可、無認可などの）周波数帯域で動作し得る。スモールセルは、様々な例によると、ピコセル、フェムトセル、およびマイクロセルを含み得る。例えば、ピコセルは、小さい地理的エリアをカバーし得、ネットワークプロバイダにサービス加入しているＵＥによる無制限アクセスを可能にし得る。フェムトセルは、さらに、または代替として、小さい地理的エリア（例えば、家）をカバーし得、フェムトセルとの関連付けを有するＵＥ（例えば、クローズド加入者グループ（ＣＳＧ）中のＵＥ、家の中にいるユーザのためのＵＥなど）による制限されたアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、コンポーネントキャリア）をサポートし得る。ＵＥは、マクロｅＮＢ、スモールセルｅＮＢ、中継基地局などを含む様々なタイプの基地局およびネットワーク機器と通信することが可能であり得る。
【０１０９】
[0116]  本書に説明される１つまたは複数のワイヤレス通信システムは、同期または非同期動作をサポートし得る。同期動作の場合、基地局は、同様のフレームタイミングを有し得、異なる基地局からの送信は、時間的にほぼアラインされ得る（approximately aligned in time）。非同期動作の場合、基地局は、異なるフレームタイミングを有し得、異なる基地局からの送信は、時間的にアラインされないことがあり得る。本書で説明される技術は、同期または非同期動作のいずれかに対して使用され得る。
【０１１０】
[0117]  本書に説明されるダウンリンク送信は、さらに、または代替として、順方向リンク送信と呼ばれ得、一方でアップリンク送信は、さらに、または代替として、逆方向リンク送信と呼ばれ得る。例えば図１および２のワイヤレス通信システム１００および２００を含む、本書に説明されている各通信リンクは、１つまたは複数のキャリアを含み得、各キャリアは、複数のサブキャリア（例えば、異なる周波数の波形信号）から構成される信号であり得る。変調された各信号は、異なるサブキャリア上で送られ得、制御情報（例えば、基準信号、制御チャネルなど）、オーバヘッド情報、ユーザデータなどを搬送し得る。本書に説明される通信リンク（例えば、図１の通信リンク１２５）は、（例えば、ペアのスペクトルリソースを使用する）周波数分割複信（ＦＤＤ）、または（例えば、ペアではないスペクトルリソースを使用する）時分割複信（ＴＤＤ）動作、を使用して双方向通信を送信し得る。周波数分割複信（ＦＤＤ）に関するフレーム構造（例えば、フレーム構造タイプ１）およびＴＤＤに関するフレーム構造（例えば、フレーム構造タイプ２）が定義され得る。
【０１１１】
[0118]  添付された図面に関連して本書に記載された説明は、例証的な構成を説明しており、実施され得るまたは特許請求の範囲の範囲内にある全ての例を表してはいない。本書で使用される「実例的な」という用語は、「好ましい」または「他の例よりも有利である」ということではなく、「例、事例、または例示としての役割をすること」を意味する。詳細な説明は、説明された技術の理解を提供する目的で具体的な詳細を含む。しかしながら、これらの技術は、これらの具体的な詳細なしに実現され得る。いくつかの事例では、周知の構造およびデバイスは、説明されている例のコンセプトを暖味にすることを回避するためにブロック図の形態で図示されている。
【０１１２】
[0119]  添付の図面において、同様のコンポーネントまたは特徴は、同じ参照ラベルを有し得る。さらに、または代替として、同じタイプの様々なコンポーネントは、参照ラベルに、ダッシュと、同様のコンポーネント間を区別する第２のラベルとを後続させることによって区別され得る。本書において第１の参照ラベルのみが使用される場合、第２の参照ラベルに関係なく同じ第１の参照ラベルを有する同様のコンポーネントのいずれか１つに、説明が適用可能である。
【０１１３】
[0120]  本書に説明される情報および信号は、多様な異なる技術および技法のうちの任意のものを使用して表わされ得る。例えば、上記の説明全体を通して参照され得る、データ、命令、コマンド、情報、信号、ビット、シンボル、およびチップは、電圧、電流、電磁波、磁界または磁気粒子、光場または光粒子、もしくはこれらの任意の組み合わせによって表わされ得る。
【０１１４】
[0121]  本書での開示に関連して説明された様々な例示的なブロックおよびモジュールは、汎用プロセッサ、ＤＳＰ、ＡＳＩＣ、ＦＰＧＡまたは他のプログラマブル論理デバイス、離散ゲートまたはトランジスタ論理、離散ハードウェアコンポーネント、あるいは本書で説明された機能を行うように設計されたそれらの任意の組み合わせを用いて実施または行われ得る。汎用プロセッサは、マイクロプロセッサであり得るが、代替では、プロセッサは、任意の従来のプロセッサ、コントローラ、マイクロコントローラ、またはステートマシンであり得る。プロセッサは、さらに、または代替として、（例えば、デジタルシグナルプロセッサ（ＤＳＰ）とマイクロプロセッサの組み合わせ、複数のマイクロプロセッサ、ＤＳＰコアに連結した１つまたは複数のマイクロプロセッサ、または他の任意のそのような構成といった、）コンピューティングデバイスの組み合わせとして実施され得る。
【０１１５】
[0122]  本書で説明された機能は、ハードウェア、プロセッサによって実行されるソフトウェア、ファームウェア、またはそれらの任意の組み合わせ中で実施され得る。プロセッサによって実行されるソフトウェアに実施される場合、これらの機能は、コンピュータ可読媒体上で、１つまたは複数の命令またはコードとして送信または記憶され得る。他の例および実施形態は、添付された特許請求の範囲および本開示の範囲および精神内にある。例えば、ソフトウェアの性質により、上記に説明された機能は、プロセッサによって実行されるソフトウェア、ハードウェア、ファームウェア、ハードワイヤリング、またはこれらのいずれかの組み合わせを使用して実施され得る。機能を実施する特徴は、様々な位置において物理的に配置され得、それは、機能の一部が異なる物理的な位置において実施されるように分配されることを含む。請求項を含む本書で使用される場合、「および／または」という用語は、２つ以上の項目からなるリストで使用されるとき、リストされた項目のうちのいずれか１つが単独で採用され得ること、または、リストされた項目のうちの２つ以上からなる任意の組み合わせが採用され得ることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含むことができる。また、請求項を含む本書で使用される場合、項目のリスト（例えば、「のうちの少なくとも１つ」または「のうちの１つまたは複数」のようなフレーズで始まる項目のリスト）において使用されるような「または（or）」は、例えば、項目のリスト「のうちの少なくとも１つ」を指すフレーズが、単一のメンバーを含む、それらの項目の任意の組合せを指すように、包括的なリスト（inclusive list）を示す。例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃと、並びに同様の要素の倍数との任意の組み合わせ（例えば、Ａ-Ａ、Ａ-Ａ-Ａ、Ａ-Ａ-Ｂ、Ａ-Ａ-Ｃ、Ａ-Ｂ-Ｂ、Ａ-Ｃ-Ｃ、Ｂ-Ｂ、Ｂ-Ｂ-Ｂ、Ｂ-Ｂ-Ｃ、Ｃ-Ｃ、およびＣ-Ｃ-Ｃ、またはＡ、Ｂ、およびＣの任意の他の順序）をカバーすることが意図されている。
【０１１６】
[0123]  コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または特殊用途コンピュータによってアクセスされ得る任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望のプログラムコード手段を記憶または搬送するために使用され得、汎用または特殊用途コンピュータ、もしくは汎用または特殊用途プロセッサによってアクセスされ得る、任意の他の非一時的な媒体を備えることができる。さらに、または代替として、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、またはその他の遠隔ソースから送信される場合、同軸ケーブル、光ファイバーケーブル、ツイストペア、デジタル加入者回線（ＤＳＬ）、または赤外線、無線、およびマイクロ波のようなワイヤレス技術は、媒体の定義に含まれる。本書に使用される場合、ディスク（disk）およびディスク（disc）は、ＣＤ、レーザーディスク（登録商標）、光ディスク、デジタル多用途ディスク（ＤＶＤ）、フロッピー（登録商標）ディスク、およびブルーレイ（登録商標）ディスクを含み、ディスク（disk）は通常、磁気的にデータを再生するが、ディスク（disc）は、レーザーを用いて光学的にデータを再生する。上記の組み合わせは、さらに、または代替として、コンピュータ可読媒体の範囲内に含まれる。
【０１１７】
[0124]  本書での説明は、当業者が本開示を製造または使用することを可能にするために提供される。本開示に対する様々な修正は、当業者にとって容易に明らかとなり、本書で定義された包括的な原理は、本開示の範囲から逸脱しないで他の変形に適用され得る。このため、本開示は、本書に説明された例および設計に限定されるべきではなく、本書に開示された原理および新規の特徴と矛盾しない最も広い範囲が付与されるべきである。
以下に本願の出願当初の特許請求の範囲に記載された発明を付記する。
[Ｃ１]  ワイヤレス通信のための方法であって、
アップリンク許可のためのソースキャリアを特定することと、
前記アップリンク許可のための前記ソースキャリアに少なくとも一部基づいて共有スペクトルのチャネルにアクセスするためのリッスンビフォートーク（ＬＢＴ）プロシージャを決定することと、を備える方法。
[Ｃ２]  前記ＬＢＴプロシージャを決定することは、
前記アップリンク許可のための前記ソースキャリアに少なくとも一部基づいてクリアチャネルアセスメント（ＣＣＡ）期間を決定することを備える、Ｃ１に記載の方法。
[Ｃ３]  前記ＣＣＡ期間は、前記ソースキャリアが共有スペクトルにある場合には第１の持続時間を備え、前記ＣＣＡ期間は、前記ソースキャリアが認可スペクトルにある場合には第２の持続時間を備え、ここにおいて、前記第２の持続時間は、前記第１の持続時間より多い、Ｃ２に記載の方法。
[Ｃ４]  前記ＬＢＴプロシージャを決定することは、
前記アップリンク許可のための前記ソースキャリアに少なくとも一部基づいてＣＣＡプロシージャを決定することを備える、Ｃ１に記載の方法。
[Ｃ５]  前記決定されたＣＣＡプロシージャは、バックオフプロシージャのないＣＣＡプロシージャを備える、Ｃ４に記載の方法。
[Ｃ６]  前記決定されたＣＣＡプロシージャは、リニアランダムまたは指数バックオフプロシージャを備える、Ｃ４に記載の方法。
[Ｃ７]  前記決定されたＣＣＡプロシージャは、
前記指数バックオフプロシージャのためのＬＢＴ優先クラスを決定することをさらに備える、Ｃ６に記載の方法。
[Ｃ８]  前記ソースキャリアが共有スペクトルにある場合には前記バックオフプロシージャのための第１の範囲パラメータを選択することと、
前記ソースキャリアが認可スペクトルにある場合には前記バックオフプロシージャのための第２の範囲パラメータを選択することと、をさらに備え、ここにおいて、前記第２の範囲パラメータは、前記第１の範囲パラメータより大きく、ここにおいて、前記第１の範囲パラメータおよび前記第２の範囲パラメータは、前記アップリンク許可がそこから受信される基地局に関連付けされた範囲パラメータとは異なる、Ｃ６に記載の方法。
[Ｃ９]  前記アップリンク許可のための前記ソースキャリアを特定することは、
前記共有スペクトルにおいてキャリアを特定することを備える、Ｃ１に記載の方法。
[Ｃ１０]  ユーザ機器（ＵＥ）がスタンドアロン動作モードであることを決定することをさらに備え、ここにおいて、前記ソースキャリアは、前記ＵＥが前記スタンドアロン動作モードであることの前記決定に少なくとも一部基づいて特定される、Ｃ９に記載の方法。
[Ｃ１１]  前記アップリンク許可のための前記ソースキャリアを特定することは、
認可スペクトルにおいてキャリアを特定することを備え、ここにおいて、前記アップリンク許可は、前記特定されたキャリアによってクロスキャリア制御される、Ｃ１に記載の方法。
[Ｃ１２]  クロスキャリアスケジューリング構成を示すシグナリングを受信することをさらに備え、ここにおいて、前記認可スペクトルにおける前記キャリアは、前記受信されたシグナリングに少なくとも一部基づいて特定される、Ｃ１１に記載の方法。
[Ｃ１３]  前記アップリンク許可によって指示されるリソースを使用して送信されるプリアンブルは、前記アップリンク許可のための前記ソースキャリアに少なくとも一部基づく、Ｃ１に記載の方法。
[Ｃ１４]  前記ソースキャリアは、前記共有スペクトルにおいてキャリアを備え、前記プリアンブルは、ワイヤレスローカルエリアネットワーク（ＷＬＡＮ）プリアンブルを備える、Ｃ１３に記載の方法。
[Ｃ１５]  ワイヤレス通信のための装置であって、
アップリンク許可のためのソースキャリアを特定するための手段と、
前記アップリンク許可のための前記ソースキャリアに少なくとも一部基づいて共有スペクトルのチャネルにアクセスするためのリッスンビフォートーク（ＬＢＴ）プロシージャを決定するための手段と、を備える装置。
[Ｃ１６]  前記ＬＢＴプロシージャを決定するための前記手段は、
前記アップリンク許可のための前記ソースキャリアに少なくとも一部基づいてＣＣＡ期間を決定するための手段を備える、Ｃ１５に記載の装置。
[Ｃ１７]  前記ＣＣＡ期間は、前記ソースキャリアが共有スペクトルにある場合には第１の持続時間を備え、前記ＣＣＡ期間は、前記ソースキャリアが認可スペクトルにある場合には第２の持続時間を備え、ここにおいて、前記第２の持続時間は、前記第１の持続時間より多い、Ｃ１６に記載の装置。
[Ｃ１８]  前記ＬＢＴプロシージャを決定するための前記手段は、
前記アップリンク許可のための前記ソースキャリアに少なくとも一部基づいてＣＣＡプロシージャを決定するための手段を備える、Ｃ１５に記載の装置。
[Ｃ１９]  前記ＣＣＡプロシージャを決定するための前記手段は、バックオフプロシージャのないＣＣＡプロシージャを決定するために動作可能である、Ｃ１８に記載の装置。
[Ｃ２０]  前記ＣＣＡプロシージャを決定するための前記手段は、リニアランダムまたは指数バックオフプロシージャを決定するために動作可能である、Ｃ１８に記載の装置。
[Ｃ２１]  前記ＬＢＴプロシージャを決定するための前記手段は、
前記指数バックオフプロシージャのためのＬＢＴ優先クラスを決定するための手段をさらに備える、Ｃ２０に記載の装置。
[Ｃ２２]  前記ソースキャリアが共有スペクトルにある場合に前記バックオフプロシージャのための第１の範囲パラメータを選択するための手段と、
前記ソースキャリアが認可スペクトルにある場合に前記バックオフプロシージャのための第２の範囲パラメータを選択するための手段と、をさらに備え、ここにおいて、前記第２の範囲パラメータは、前記第１の範囲パラメータより大きく、ここにおいて、前記第１の範囲パラメータおよび前記第２の範囲パラメータは、前記アップリンク許可がそこから受信される基地局に関連付けされた範囲パラメータとは異なる、Ｃ２０に記載の装置。
[Ｃ２３]  前記アップリンク許可のための前記ソースキャリアを特定するための前記手段は、
前記共有スペクトルにおいてキャリアを特定するための手段を備える、Ｃ１５に記載の装置。
[Ｃ２４]  ユーザ機器（ＵＥ）がスタンドアロン動作モードであることを決定するための手段をさらに備え、ここにおいて、前記ソースキャリアを特定するための前記手段は、前記ＵＥが前記スタンドアロン動作モードであることを決定するために動作可能である、Ｃ２３に記載の装置。
[Ｃ２５]  前記アップリンク許可のための前記ソースキャリアを特定するための手段は、
認可スペクトルにおいてキャリアを特定するための手段を備え、ここにおいて、前記アップリンク許可は、前記特定されたキャリアによってクロスキャリア制御される、Ｃ１５に記載の装置。
[Ｃ２６]  クロスキャリアスケジューリング構成を示すシグナリングを受信するための手段をさらに備え、ここにおいて、前記ソースキャリアを特定するための前記手段は、前記受信されたシグナリングに少なくとも一部基づいて前記認可スペクトルを特定するために動作可能である、Ｃ２５に記載の装置。
[Ｃ２７]  前記アップリンク許可によって指示されるリソースを使用して送信されるプリアンブルは、前記アップリンク許可のための前記ソースキャリアに少なくとも一部基づく、Ｃ１５に記載の装置。
[Ｃ２８]  前記ソースキャリアは、前記共有スペクトルにおいてキャリアを備え、前記プリアンブルは、ワイヤレスローカルエリアネットワーク（ＷＬＡＮ）プリアンブルを備える、Ｃ２７に記載の装置。
[Ｃ２９]  ワイヤレス通信のための装置であって、
プロセッサと、
前記プロセッサに結合されたメモリと、を備え、ここにおいて、前記プロセッサは、  アップリンク許可のためのソースキャリアを特定することと、
前記アップリンク許可のための前記ソースキャリアに少なくとも一部基づいて共有スペクトルのチャネルにアクセスするためのリッスンビフォートーク（ＬＢＴ）プロシージャを決定することと、をするように構成されている、装置。
[Ｃ３０]  前記プロセッサは、
前記アップリンク許可のための前記ソースキャリアに少なくとも一部基づいてＣＣＡ期間を決定するように構成されている、Ｃ２９に記載の装置。
[Ｃ３１]  前記ＣＣＡ期間は、前記ソースキャリアが共有スペクトルにある場合には第１の持続時間を備え、前記ＣＣＡ期間は、前記ソースキャリアが認可スペクトルにある場合には第２の持続時間を備え、ここにおいて、前記第２の持続時間は、前記第１の持続時間より多い、Ｃ３０に記載の装置。
[Ｃ３２]  前記プロセッサは、
前記アップリンク許可のための前記ソースキャリアに少なくとも一部基づいてＣＣＡプロシージャを決定するように構成されている、Ｃ２９に記載の装置。
[Ｃ３３]  前記決定されたＣＣＡプロシージャは、バックオフプロシージャのないＣＣＡプロシージャを備える、Ｃ３２に記載の装置。
[Ｃ３４]  前記決定されたＣＣＡプロシージャは、リニアランダムまたは指数バックオフプロシージャを備える、Ｃ３２に記載の装置。
[Ｃ３５]  前記プロセッサは、
前記指数バックオフプロシージャのためのＬＢＴ優先クラスを決定するように構成されている、Ｃ３４に記載の装置。
[Ｃ３６]  前記プロセッサは、
前記ソースキャリアが共有スペクトルにある場合に前記バックオフプロシージャのための第１の範囲パラメータを選択することと、
前記ソースキャリアが認可スペクトルにある場合に前記バックオフプロシージャのための第２の範囲パラメータを選択することと、をするように構成されており、ここにおいて、前記第２の範囲パラメータは、前記第１の範囲パラメータより大きく、ここにおいて、前記第１の範囲パラメータおよび前記第２の範囲パラメータは、前記アップリンク許可がそこから受信される基地局に関連付けされた範囲パラメータとは異なる、Ｃ３４に記載の装置。
[Ｃ３７]  前記プロセッサは、
前記共有スペクトルにおいてキャリアを特定するように構成されている、Ｃ２９に記載の装置。
[Ｃ３８]  前記プロセッサは、
ユーザ機器（ＵＥ）がスタンドアロン動作モードであることを決定するように構成されており、ここにおいて、前記ソースキャリアは、前記ＵＥが前記スタンドアロン動作モードであることの前記決定に少なくとも一部基づいて特定される、Ｃ３７に記載の装置。
[Ｃ３９]  前記プロセッサは、
認可スペクトルにおいてキャリアを特定するように構成されており、ここにおいて、前記アップリンク許可は、前記特定されたキャリアによってクロスキャリア制御される、Ｃ２９に記載の装置。
[Ｃ４０]  前記プロセッサは、
クロスキャリアスケジューリング構成を示すシグナリングを受信するように構成されており、ここにおいて、前記認可スペクトルにおける前記キャリアは、前記受信されたシグナリングに少なくとも一部基づいて特定される、Ｃ３９に記載の装置。
[Ｃ４１]  前記アップリンク許可によって指示されるリソースを使用して送信されるプリアンブルは、前記アップリンク許可のための前記ソースキャリアに少なくとも一部基づく、Ｃ２９に記載の装置。
[Ｃ４２]  前記ソースキャリアは、前記共有スペクトルにおいてキャリアを備え、前記プリアンブルは、ワイヤレスローカルエリアネットワーク（ＷＬＡＮ）プリアンブルを備える、Ｃ４１に記載の装置。
[Ｃ４３]  プロセッサによって実行可能である命令を記憶するための非一時的なコンピュータ可読媒体は、
アップリンク許可のためのソースキャリアを特定するための命令と、
前記アップリンク許可のための前記ソースキャリアに少なくとも一部基づいて共有スペクトルのチャネルにアクセスするためのリッスンビフォートーク（ＬＢＴ）プロシージャを決定するための命令と、を備える、非一時的なコンピュータ可読媒体。
[Ｃ４４]  前記アップリンク許可のための前記ソースキャリアに少なくとも一部基づいてＣＣＡ期間を決定するための命令をさらに備える、Ｃ４３に記載の非一時的なコンピュータ可読媒体。
[Ｃ４５]  前記ＣＣＡ期間は、前記ソースキャリアが共有スペクトルにある場合には第１の持続時間を備え、前記ＣＣＡ期間は、前記ソースキャリアが認可スペクトルにある場合には第２の持続時間を備え、ここにおいて、前記第２の持続時間は、前記第１の持続時間より多い、Ｃ４４に記載の非一時的なコンピュータ可読媒体。
[Ｃ４６]  前記アップリンク許可のための前記ソースキャリアに少なくとも一部基づいてＣＣＡプロシージャを決定するための命令をさらに備える、Ｃ４３に記載の非一時的なコンピュータ可読媒体。
[Ｃ４７]  前記決定されたＣＣＡプロシージャは、バックオフプロシージャのないＣＣＡプロシージャを備える、Ｃ４６に記載の非一時的なコンピュータ可読媒体。
[Ｃ４８]  前記決定されたＣＣＡプロシージャは、リニアランダムまたは指数バックオフプロシージャを備える、Ｃ４６に記載の非一時的なコンピュータ可読媒体。
[Ｃ４９]  前記指数バックオフプロシージャのためのＬＢＴ優先クラスを決定するための命令をさらに備える、Ｃ４８に記載の非一時的なコンピュータ可読媒体。
[Ｃ５０]  前記ソースキャリアが共有スペクトルにある場合に前記バックオフプロシージャのための第１の範囲パラメータを選択するための命令と、
前記ソースキャリアが認可スペクトルにある場合に前記バックオフプロシージャのための第２の範囲パラメータを選択するための命令と、さらに備え、ここにおいて、前記第２の範囲パラメータは、前記第１の範囲パラメータより大きく、ここにおいて、前記第１の範囲パラメータおよび前記第２の範囲パラメータは、前記アップリンク許可がそこから受信される基地局に関連付けされた範囲パラメータとは異なる、Ｃ４８に記載の非一時的なコンピュータ可読媒体。
[Ｃ５１]  前記共有スペクトルにおいてキャリアを特定するための命令をさらに備える、Ｃ４３に記載の非一時的なコンピュータ可読媒体。
[Ｃ５２]  ユーザ機器（ＵＥ）がスタンドアロン動作モードであることを決定するための命令をさらに備え、ここにおいて、前記ソースキャリアは、前記ＵＥが前記スタンドアロン動作モードであることの前記決定に少なくとも一部基づいて特定される、Ｃ５１に記載の非一時的なコンピュータ可読媒体。
[Ｃ５３]  認可スペクトルにおいてキャリアを特定するための命令をさらに備え、ここにおいて、前記アップリンク許可は、前記特定されたキャリアによってクロスキャリア制御される、Ｃ４３に記載の非一時的なコンピュータ可読媒体。
[Ｃ５４]  クロスキャリアスケジューリング構成を示すシグナリングを受信するための命令をさらに備え、ここにおいて、前記認可スペクトルにおける前記キャリアは、前記受信されたシグナリングに少なくとも一部基づいて特定される、Ｃ５３に記載の非一時的なコンピュータ可読媒体。
[Ｃ５５]  前記アップリンク許可によって指示されるリソースを使用して送信されるプリアンブルは、前記アップリンク許可のための前記ソースキャリアに少なくとも一部基づく、Ｃ４３に記載の非一時的なコンピュータ可読媒体。
[Ｃ５６]  前記ソースキャリアは、前記共有スペクトルにおいてキャリアを備え、前記プリアンブルは、ワイヤレスローカルエリアネットワーク（ＷＬＡＮ）プリアンブルを備える、Ｃ５５に記載の非一時的なコンピュータ可読媒体。
【図１】
0006728229.tif 000002
【図２】
0006728229.tif 000003
【図３Ａ】
0006728229.tif 000004
【図３Ｂ】
0006728229.tif 000005
【図４】
0006728229.tif 000006
【図５】
0006728229.tif 000007
【図６】
0006728229.tif 000008
【図７】
0006728229.tif 000009
【図８】
0006728229.tif 000010
【図９】
0006728229.tif 000011
【図１０】
0006728229.tif 000012
【図１１】
0006728229.tif 000013
【図１２】
0006728229.tif 000014
【図１３】
0006728229.tif 000015
【図１４】
0006728229.tif 000016